(57)【要約】本願の実施例は、情報伝送方法、端末機器及びネットワーク機器を提供する。当該方法は、チャネル状態情報（ＣＳＩ）をベアラするために用いる複数の第１の物理上り制御チャネル（ＰＵＣＣＨ）リソースで少なくとも２つの第１のＰＵＣＣＨリソースが時間領域において部分的に重畳する場合、端末機器は衝突ＣＳＩを伝送するために用いる第２のＰＵＣＣＨリソースに基づき、ネットワーク機器に報告する目的ＣＳＩを決定することと、前記端末機器は前記第２のＰＵＣＣＨリソースによって前記ネットワーク機器に前記目的ＣＳＩを報告することとを含む。【選択図】図２
2021517748.tif 000002
【特許請求の範囲】
【請求項１】
チャネル状態情報（ＣＳＩ）をベアラするために用いる複数の第１の物理上り制御チャネル（ＰＵＣＣＨ）リソースで少なくとも２つの第１のＰＵＣＣＨリソースが時間領域において少なくとも部分的に重畳する場合、端末機器が衝突ＣＳＩを伝送するために用いる第２のＰＵＣＣＨリソースに基づき、ネットワーク機器に報告する目的ＣＳＩを決定することと、
前記端末機器が前記第２のＰＵＣＣＨリソースによって前記ネットワーク機器に前記目的ＣＳＩを報告することとを含むことを特徴とする情報伝送方法。
【請求項２】
前記端末機器が衝突ＣＳＩを伝送するために用いる第２のＰＵＣＣＨリソースに基づき、ネットワーク機器に報告する目的ＣＳＩを決定することは、前記端末機器が前記第２のＰＵＣＣＨリソースの開始位置に基づき、前記ネットワーク機器に報告する前記目的ＣＳＩを決定することを含むことを特徴とする請求項１に記載の方法。
【請求項３】
前記端末機器が前記第２のＰＵＣＣＨリソースの開始位置に基づき、前記ネットワーク機器に報告する前記目的ＣＳＩを決定することは、前記複数の第１のＰＵＣＣＨリソースで少なくとも１つの第１のＰＵＣＣＨリソースの開始位置が前記第２のＰＵＣＣＨリソースの開始位置より遅くない場合、前記端末機器が前記少なくとも１つのＰＵＣＣＨリソースにベアラされているＣＳＩを前記目的ＣＳＩとして決定することを含むことを特徴とする請求項２に記載の方法。
【請求項４】
前記端末機器が前記第２のＰＵＣＣＨリソースの開始位置に基づき、前記ネットワーク機器に報告する前記目的ＣＳＩを決定することは、前記複数の第１のＰＵＣＣＨリソースで少なくとも１つの第１のＰＵＣＣＨリソースの開始位置が前記第２のＰＵＣＣＨリソースの開始位置より遅くない場合、前記端末機器は前記少なくとも１つのＰＵＣＣＨリソースで開始位置が最早又は最遅の少なくとも１つのＰＵＣＣＨリソースにベアラされているＣＳＩを前記目的ＣＳＩとして決定することを含むことを特徴とする請求項２に記載の方法。
【請求項５】
前記端末機器が前記第２のＰＵＣＣＨリソースの開始位置に基づき、前記ネットワーク機器に報告する前記目的ＣＳＩを決定することは、前記端末機器が前記第２のＰＵＣＣＨリソースの開始位置、及び前記複数の第１のＰＵＣＣＨリソースにベアラされているＣＳＩの優先度に基づき、前記目的ＣＳＩを決定することを含むことを特徴とする請求項２に記載の方法。
【請求項６】
前記端末機器が前記第２のＰＵＣＣＨリソースの開始位置、及び前記複数の第１のＰＵＣＣＨリソースにベアラされているＣＳＩの優先度に基づき、前記目的ＣＳＩを決定することは、前記複数の第１のＰＵＣＣＨリソースで少なくとも１つの第１のＰＵＣＣＨリソースの開始位置が前記第２のＰＵＣＣＨリソースの開始位置より遅くない場合、前記端末機器が前記少なくとも１つの第１のＰＵＣＣＨリソースにベアラされているＣＳＩの優先度に基づき、前記目的ＣＳＩを決定することを含むことを特徴とする請求項５に記載の方法。
【請求項７】
前記端末機器が前記少なくとも１つの第１のＰＵＣＣＨリソースにベアラされているＣＳＩの優先度に基づき、前記目的ＣＳＩを決定することは、前記端末機器は前記少なくとも１つの第１のＰＵＣＣＨリソースにベアラされているＣＳＩで優先度が最高の少なくとも１つのＣＳＩを前記目的ＣＳＩとして決定することを含むことを特徴とする請求項６に記載の方法。
【請求項８】
前記端末機器が前記第２のＰＵＣＣＨリソースの開始位置、及び前記複数の第１のＰＵＣＣＨリソースにベアラされているＣＳＩの優先度に基づき、前記目的ＣＳＩを決定することは、前記複数の第１のＰＵＣＣＨリソースで少なくとも１つの第１のＰＵＣＣＨリソースの開始位置が前記第２のＰＵＣＣＨリソースの開始位置より遅くない場合、前記端末機器は前記少なくとも１つの第１のＰＵＣＣＨリソースで開始位置が最早又は最遅の第１のＰＵＣＣＨリソースにベアラされているＣＳＩの優先度に基づき、前記目的ＣＳＩを決定することを含むことを特徴とする請求項５に記載の方法。
【請求項９】
前記端末機器が前記少なくとも１つの第１のＰＵＣＣＨリソースで開始位置が最早又は最遅の第１のＰＵＣＣＨリソースにベアラされているＣＳＩの優先度に基づき、前記目的ＣＳＩを決定することは、前記端末機器は開始位置が最早の第１のＰＵＣＣＨリソースにベアラされているＣＳＩで優先度が最高のＣＳＩを前記目的ＣＳＩとして決定することを含むことを特徴とする請求項８に記載の方法。
【請求項１０】
前記端末機器が前記第２のＰＵＣＣＨリソースの開始位置に基づき、前記ネットワーク機器に報告する前記目的ＣＳＩを決定することは、前記端末機器が前記第２のＰＵＣＣＨリソースの開始位置及び前記複数の第１のＰＵＣＣＨリソースにベアラされている複数のＣＳＩの測定位置に基づき、前記目的ＣＳＩを決定することを含み、ただし、前記複数のＰＵＣＣＨリソースと前記複数のＣＳＩは一対一で対応することを特徴とする請求項２に記載の方法。
【請求項１１】
前記端末機器が前記第２のＰＵＣＣＨリソースの開始位置及び前記複数の第１のＰＵＣＣＨリソースにベアラされている複数のＣＳＩの測定位置に基づき、前記目的ＣＳＩを決定することは、前記複数のＣＳＩにおける各ＣＳＩの測定位置及び前記各ＣＳＩの処理時間に基づき、前記各ＣＳＩの処理終了位置を決定することと、前記端末機器が前記第２のＰＵＣＣＨリソースの開始位置及び前記各ＣＳＩの処理終了位置に基づき、前記目的ＣＳＩを決定することとを含むことを特徴とする請求項１０に記載の方法。
【請求項１２】
前記端末機器が前記第２のＰＵＣＣＨリソースの開始位置及び前記各ＣＳＩの処理終了位置に基づき、前記目的ＣＳＩを決定することは、前記複数のＣＳＩで少なくとも１つのＣＳＩの処理終了位置が前記第２のＰＵＣＣＨリソースの開始位置より遅くない場合、前記端末機器が前記少なくとも１つのＣＳＩを前記目的ＣＳＩとして決定することを含むことを特徴とする請求項１１に記載の方法。
【請求項１３】
前記端末機器が前記第２のＰＵＣＣＨリソースの開始位置及び前記各ＣＳＩの処理終了位置に基づき、前記目的ＣＳＩを決定することは、前記複数のＣＳＩで少なくとも１つのＣＳＩの処理終了位置が前記第２のＰＵＣＣＨリソースの開始位置より遅くない場合、前記端末機器は前記少なくとも１つのＣＳＩで処理終了位置が最早のＣＳＩを前記目的ＣＳＩとして決定することを含むことを特徴とする請求項１１に記載の方法。
【請求項１４】
前記端末機器が前記第２のＰＵＣＣＨリソースの開始位置及び前記各ＣＳＩの処理終了位置に基づき、前記目的ＣＳＩを決定することは、前記端末機器が前記第２のＰＵＣＣＨリソースの開始位置、前記各ＣＳＩの処理終了位置、及び前記各ＣＳＩの優先度に基づき、前記目的ＣＳＩを決定することを含むことを特徴とする請求項１１に記載の方法。
【請求項１５】
前記端末機器が前記第２のＰＵＣＣＨリソースの開始位置、前記各ＣＳＩの処理終了位置、及び前記各ＣＳＩの優先度に基づき、前記目的ＣＳＩを決定することは、前記複数のＣＳＩで少なくとも１つのＣＳＩの処理終了位置が前記第２のＰＵＣＣＨリソースの開始位置より遅くない場合、前記端末機器が前記少なくとも１つのＣＳＩの優先度に基づき、前記目的ＣＳＩを決定することを含むことを特徴とする請求項１４に記載の方法。
【請求項１６】
前記端末機器が前記少なくとも１つのＣＳＩの優先度に基づき、前記目的ＣＳＩを決定することは、前記端末機器は前記少なくとも１つのＣＳＩで優先度が最高のＣＳＩを前記目的ＣＳＩとして決定することを含むことを特徴とする請求項１５に記載の方法。
【請求項１７】
前記端末機器が前記第２のＰＵＣＣＨリソースの開始位置、前記各ＣＳＩの処理終了位置、及び前記各ＣＳＩの優先度に基づき、前記目的ＣＳＩを決定することは、前記複数のＣＳＩで少なくとも１つのＣＳＩの処理終了位置が前記第２のＰＵＣＣＨリソースの開始位置より遅くない場合、前記端末機器は前記少なくとも１つのＣＳＩで処理終了位置が最早のＣＳＩの優先度に基づき、前記目的ＣＳＩを決定することを含むことを特徴とする請求項１４に記載の方法。
【請求項１８】
前記端末機器が前記少なくとも１つのＣＳＩで処理終了位置が最早のＣＳＩの優先度に基づき、前記目的ＣＳＩを決定することは、前記端末機器は前記少なくとも１つのＣＳＩで、処理終了位置が最早のＣＳＩで優先度が最高のＣＳＩを前記目的ＣＳＩとして決定することを含むことを特徴とする請求項１７に記載の方法。
【請求項１９】
前記複数のＣＳＩにおける各ＣＳＩの測定位置及び前記各ＣＳＩの処理時間に基づき、前記各ＣＳＩの処理終了位置を決定することは、前記端末機器が前記各ＣＳＩの測定位置後の所定時間長の位置を前記各ＣＳＩの処理終了位置として決定することを含み、ただし、前記所定時間長が前記各ＣＳＩの処理時間にタイミングアドバンス（ＴＡ）を加算したものであることを特徴とする請求項１１〜請求項１８のいずれか１項に記載の方法。
【請求項２０】
前記第２のＰＵＣＣＨリソースの開始位置は、前記第２のＰＵＣＣＨリソースの開始符号であることを特徴とする請求項２〜請求項１９のいずれか１項に記載の方法。
【請求項２１】
前記端末機器が前記ネットワーク機器によって送信される第１の情報を受信することをさらに含み、前記第１の情報が、複数の周期でＣＳＩをベアラするために用いる前記複数の第１のＰＵＣＣＨリソースの情報を含むことを特徴とする請求項１〜請求項２０のいずれか１項に記載の方法。
【請求項２２】
前記第１の情報は、前記複数の周期でＣＳＩの測定のために用いる測定リソースの情報をさらに含むことを特徴とする請求項２１に記載の方法。
【請求項２３】
前記複数の周期のタイプは、周期、準周期、及び非周期のうちの少なくとも１つを含むことを特徴とする請求項２１又は請求項２２に記載の方法。
【請求項２４】
前記端末機器が前記ネットワーク機器によって送信される第２の情報を受信することをさらに含み、前記第２の情報が、衝突ＣＳＩをベアラするために用いる前記第２のＰＵＣＣＨリソースの情報を含むことを特徴とする請求項１〜請求項２３のいずれか１項に記載の方法。
【請求項２５】
前記第２のＰＵＣＣＨリソースの情報は、前記第２のＰＵＣＣＨリソースの時間領域における開始符号、持続時間、周波数領域における開始物理リソースブロック（ＰＲＢ）及びＰＲＢの持続数量のうちの少なくとも１つを含むことを特徴とする請求項２４に記載の方法。
【請求項２６】
チャネル状態情報（ＣＳＩ）をベアラするために用いる複数の第１の物理上り制御チャネル（ＰＵＣＣＨ）リソースで少なくとも２つの第１のＰＵＣＣＨリソースが時間領域において少なくとも部分的に重畳することは、前記複数の第１のＰＵＣＣＨリソースで少なくとも２つの第１のＰＵＣＣＨが時間領域において少なくとも１つの符号が重畳することを含むことを特徴とする請求項１〜請求項２５のいずれか１項に記載の方法。
【請求項２７】
ネットワーク機器が端末機器に第１の情報を送信し、前記第１の情報が複数の周期でチャネル状態情報（ＣＳＩ）をベアラするために用いる複数の第１の物理上り制御チャネル（ＰＵＣＣＨ）リソースの情報を含み、ただし、ＣＳＩをベアラするために用いる前記複数の第１のＰＵＣＣＨリソースで少なくとも２つの第１のＰＵＣＣＨリソースが時間領域において少なくとも部分的に重畳することと、
前記ネットワーク機器が前記端末機器に第２の情報を送信し、前記第２の情報が衝突ＣＳＩをベアラするために用いる第２のＰＵＣＣＨリソースの情報を含むこととを含むことを特徴とする情報伝送方法。
【請求項２８】
前記第１の情報は、前記複数の周期でＣＳＩの測定のために用いる測定リソースの情報をさらに含むことを特徴とする請求項２７に記載の方法。
【請求項２９】
前記複数の周期のタイプは、周期、準周期、及び非周期のうちの少なくとも１つを含むことを特徴とする請求項２７又は請求項２８に記載の方法。
【請求項３０】
前記第２のＰＵＣＣＨリソースの情報は、前記第２のＰＵＣＣＨリソースの時間領域における開始符号、持続時間、周波数領域における開始物理リソースブロック（ＰＲＢ）及びＰＲＢの持続数量のうちの少なくとも１つを含むことを特徴とする請求項２７〜請求項２９のいずれか１項に記載の方法。
【請求項３１】
チャネル状態情報（ＣＳＩ）をベアラするために用いる複数の第１の物理上り制御チャネル（ＰＵＣＣＨ）リソースで少なくとも２つの第１のＰＵＣＣＨリソースが時間領域において少なくとも部分的に重畳する場合、衝突ＣＳＩを伝送するために用いる第２のＰＵＣＣＨリソースに基づき、ネットワーク機器に報告する目的ＣＳＩを決定するために用いられる決定モジュールと、
前記第２のＰＵＣＣＨリソースによって前記ネットワーク機器に前記目的ＣＳＩを報告するために用いられる通信モジュールとを含むことを特徴とする端末機器。
【請求項３２】
前記決定モジュールは、前記第２のＰＵＣＣＨリソースの開始位置に基づき、前記ネットワーク機器に報告する前記目的ＣＳＩを決定するためにも用いられることを特徴とする請求項３１に記載の端末機器。
【請求項３３】
前記決定モジュールは、前記複数の第１のＰＵＣＣＨリソースで少なくとも１つの第１のＰＵＣＣＨリソースの開始位置が前記第２のＰＵＣＣＨリソースの開始位置より遅くない場合、前記少なくとも１つのＰＵＣＣＨリソースにベアラされているＣＳＩを前記目的ＣＳＩとして決定するためにも用いられることを特徴とする請求項３２に記載の端末機器。
【請求項３４】
前記決定モジュールは、前記複数の第１のＰＵＣＣＨリソースで少なくとも１つの第１のＰＵＣＣＨリソースの開始位置が前記第２のＰＵＣＣＨリソースの開始位置より遅くない場合、前記少なくとも１つのＰＵＣＣＨリソースで開始位置が最早又は最遅の少なくとも１つのＰＵＣＣＨリソースにベアラされているＣＳＩを前記目的ＣＳＩとして決定するためにも用いられることを特徴とする請求項３２に記載の端末機器。
【請求項３５】
前記決定モジュールは、前記第２のＰＵＣＣＨリソースの開始位置、及び前記複数の第１のＰＵＣＣＨリソースにベアラされているＣＳＩの優先度に基づき、前記目的ＣＳＩを決定するためにも用いられることを特徴とする請求項３２に記載の端末機器。
【請求項３６】
前記決定モジュールは、前記複数の第１のＰＵＣＣＨリソースで少なくとも１つの第１のＰＵＣＣＨリソースの開始位置が前記第２のＰＵＣＣＨリソースの開始位置より遅くない場合、前記少なくとも１つの第１のＰＵＣＣＨリソースにベアラされているＣＳＩの優先度に基づき、前記目的ＣＳＩを決定するためにも用いられることを特徴とする請求項３５に記載の端末機器。
【請求項３７】
前記決定モジュールは、前記少なくとも１つの第１のＰＵＣＣＨリソースにベアラされているＣＳＩで優先度が最高の少なくとも１つのＣＳＩを前記目的ＣＳＩとして決定するためにも用いられることを特徴とする請求項３６に記載の端末機器。
【請求項３８】
前記決定モジュールは、前記複数の第１のＰＵＣＣＨリソースで少なくとも１つの第１のＰＵＣＣＨリソースの開始位置が前記第２のＰＵＣＣＨリソースの開始位置より遅くない場合、前記少なくとも１つの第１のＰＵＣＣＨリソースで開始位置が最早又は最遅の第１のＰＵＣＣＨリソースにベアラされているＣＳＩの優先度に基づき、前記目的ＣＳＩを決定するためにも用いられることを特徴とする請求項３５に記載の端末機器。
【請求項３９】
前記決定モジュールは、開始位置が最早の第１のＰＵＣＣＨリソースにベアラされているＣＳＩで優先度が最高のＣＳＩを前記目的ＣＳＩとして決定するためにも用いられることを特徴とする請求項３８に記載の端末機器。
【請求項４０】
前記決定モジュールは、前記第２のＰＵＣＣＨリソースの開始位置及び前記複数の第１のＰＵＣＣＨリソースにベアラされている複数のＣＳＩの測定位置に基づき、前記目的ＣＳＩを決定するためにも用いられ、ただし、前記複数のＰＵＣＣＨリソースと前記複数のＣＳＩは一対一で対応することを特徴とする請求項３２に記載の端末機器。
【請求項４１】
前記決定モジュールは、前記複数のＣＳＩにおける各ＣＳＩの測定位置及び前記各ＣＳＩの処理時間に基づき、前記各ＣＳＩの処理終了位置を決定し、前記第２のＰＵＣＣＨリソースの開始位置及び前記各ＣＳＩの処理終了位置に基づき、前記目的ＣＳＩを決定するためにも用いられることを特徴とする請求項４０に記載の端末機器。
【請求項４２】
前記決定モジュールは、前記複数のＣＳＩで少なくとも１つのＣＳＩの処理終了位置が前記第２のＰＵＣＣＨリソースの開始位置より遅くない場合、前記少なくとも１つのＣＳＩを前記目的ＣＳＩとして決定するためにも用いられることを特徴とする請求項４１に記載の端末機器。
【請求項４３】
前記決定モジュールは、前記複数のＣＳＩで少なくとも１つのＣＳＩの処理終了位置が前記第２のＰＵＣＣＨリソースの開始位置より遅くない場合、前記少なくとも１つのＣＳＩで処理終了位置が最早のＣＳＩを前記目的ＣＳＩとして決定するためにも用いられることを特徴とする請求項４１に記載の端末機器。
【請求項４４】
前記決定モジュールは、前記第２のＰＵＣＣＨリソースの開始位置、前記各ＣＳＩの処理終了位置、及び前記各ＣＳＩの優先度に基づき、前記目的ＣＳＩを決定するためにも用いられることを特徴とする請求項４１に記載の端末機器。
【請求項４５】
前記決定モジュールは、前記複数のＣＳＩで少なくとも１つのＣＳＩの処理終了位置が前記第２のＰＵＣＣＨリソースの開始位置より遅くない場合、前記少なくとも１つのＣＳＩの優先度に基づき、前記目的ＣＳＩを決定するためにも用いられることを特徴とする請求項４４に記載の端末機器。
【請求項４６】
前記決定モジュールは、前記少なくとも１つのＣＳＩで優先度が最高のＣＳＩを前記目的ＣＳＩとして決定するためにも用いられることを特徴とする請求項４５に記載の端末機器。
【請求項４７】
前記決定モジュールは、前記複数のＣＳＩで少なくとも１つのＣＳＩの処理終了位置が前記第２のＰＵＣＣＨリソースの開始位置より遅くない場合、前記少なくとも１つのＣＳＩで処理終了位置が最早のＣＳＩの優先度に基づき、前記目的ＣＳＩを決定するためにも用いられることを特徴とする請求項４４に記載の端末機器。
【請求項４８】
前記決定モジュールは、前記少なくとも１つのＣＳＩで、処理終了位置が最早のＣＳＩで優先度が最高のＣＳＩを前記目的ＣＳＩとして決定するためにも用いられることを特徴とする請求項４７に記載の端末機器。
【請求項４９】
前記決定モジュールは、前記各ＣＳＩの測定位置後の所定時間長の位置を前記各ＣＳＩの処理終了位置として決定するためにも用いられ、ただし、前記所定時間長が前記各ＣＳＩの処理時間にタイミングアドバンス（ＴＡ）を加算したものであることを特徴とする請求項４１〜請求項４８のいずれか１項に記載の端末機器。
【請求項５０】
前記第２のＰＵＣＣＨリソースの開始位置は、前記第２のＰＵＣＣＨリソースの開始符号であることを特徴とする請求項３２〜請求項４９のいずれか１項に記載の端末機器。
【請求項５１】
前記通信モジュールは、前記ネットワーク機器によって送信される第１の情報を受信するためにも用いられ、前記第１の情報は、複数の周期でＣＳＩをベアラするために用いる前記複数の第１のＰＵＣＣＨリソースの情報を含むことを特徴とする請求項３１〜請求項５０のいずれか１項に記載の端末機器。
【請求項５２】
前記第１の情報は、前記複数の周期でＣＳＩの測定のために用いる測定リソースの情報をさらに含むことを特徴とする請求項５１に記載の端末機器。
【請求項５３】
前記複数の周期のタイプは、周期、準周期、及び非周期のうちの少なくとも１つを含むことを特徴とする請求項５１又は５２に記載の端末機器。
【請求項５４】
前記通信モジュールは、前記ネットワーク機器によって送信される第２の情報を受信するためにも用いられ、前記第２の情報は、衝突ＣＳＩをベアラするために用いる前記第２のＰＵＣＣＨリソースの情報を含むことを特徴とする請求項３１〜請求項５３のいずれか１項に記載の端末機器。
【請求項５５】
前記第２のＰＵＣＣＨリソースの情報は、前記第２のＰＵＣＣＨリソースの時間領域における開始符号、持続時間、周波数領域における開始物理リソースブロック（ＰＲＢ）及びＰＲＢの持続数量のうちの少なくとも１つを含むことを特徴とする請求項５４に記載の端末機器。
【請求項５６】
チャネル状態情報（ＣＳＩ）をベアラするために用いる複数の第１の物理上り制御チャネル（ＰＵＣＣＨ）リソースで少なくとも２つの第１のＰＵＣＣＨリソースが時間領域において少なくとも部分的に重畳することは、前記複数の第１のＰＵＣＣＨリソースで少なくとも２つの第１のＰＵＣＣＨが時間領域において少なくとも１つの符号が重畳することを含むことを特徴とする請求項３１〜請求項５５のいずれか１項に記載の端末機器。
【請求項５７】
端末機器に第１の情報を送信するために用いられ、前記第１の情報は、複数の周期でチャネル状態情報（ＣＳＩ）をベアラするために用いる複数の第１の物理上り制御チャネル（ＰＵＣＣＨ）リソースの情報を含み、ただし、ＣＳＩをベアラするために用いる前記複数の第１のＰＵＣＣＨリソースで少なくとも２つの第１のＰＵＣＣＨリソースが時間領域において少なくとも部分的に重畳し、前記端末機器に第２の情報を送信するためにも用いられ、前記第２の情報が、衝突ＣＳＩをベアラするために用いる第２のＰＵＣＣＨリソースの情報を含む通信モジュールを含むことを特徴とするネットワーク機器。
【請求項５８】
前記第１の情報は、前記複数の周期でＣＳＩの測定のために用いる測定リソースの情報をさらに含むことを特徴とする請求項５７に記載のネットワーク機器。
【請求項５９】
前記複数の周期のタイプは、周期、準周期、及び非周期のうちの少なくとも１つを含むことを特徴とする請求項５７又は請求項５８に記載のネットワーク機器。
【請求項６０】
前記第２のＰＵＣＣＨリソースの情報は、前記第２のＰＵＣＣＨリソースの時間領域における開始符号、持続時間、周波数領域における開始物理リソースブロック（ＰＲＢ）及びＰＲＢの持続数量のうちの少なくとも１つを含むことを特徴とする請求項５７〜請求項５９のいずれか１項に記載のネットワーク機器。
【発明の詳細な説明】
【技術分野】
【０００１】
本願の実施例は、通信分野に関し、より詳しく言えば、情報伝送方法、端末機器及びネットワーク機器に関する。
【背景技術】
【０００２】
５Ｇ  ニューラジオ（Ｎｅｗ  Ｒａｄｉｏ、略称ＮＲ）システムにおいて、端末機器は、チャネル状態情報（Ｃｈａｎｎｅｌ  Ｓｔａｔｅ  Ｉｎｆｏｒｍａｔｉｏｎ、略称ＣＳＩ）の報告を行うことができる。端末機器によって報告されるＣＳＩは、周期的なものであってもよいし準周期的なものであってもよく、非周期的なものであってもよい。ＣＳＩを報告するために用いる物理上り制御チャネル（Ｐｈｙｓｉｃａｌ  Ｕｐｌｉｎｋ  Ｃｏｎｔｒｏｌ  Ｃｈａｎｎｅｌ、略称ＰＵＣＣＨ）リソースは、上位レイヤシグナリングによって半静的に設定されるため、これらの半静的に設定されたリソースは、一部の時刻で重畳する可能性があり、この場合、重畳するＰＵＣＣＨリソースにベアラされているＣＳＩを衝突ＣＳＩと称する。
【０００３】
端末機器は、同一の時刻で異なるＰＵＣＣＨを送信することがサポートされないため、衝突ＣＳＩを伝送するために、マルチＣＳＩ（ｍｕｌｔｉ−ＣＳＩ）ＰＵＣＣＨリソースという概念が導入される。このため、ｍｕｌｔｉ−ＣＳＩ  ＰＵＣＣＨリソースを用いてどの衝突ＣＳＩを伝送するかは、研究すべき課題になる。
【発明の概要】
【発明が解決しようとする課題】
【０００４】
本願の実施例は、情報伝送方法、端末機器及びネットワーク機器を提供し、これによって衝突ＣＳＩを伝送するために用いるＰＵＣＣＨリソースに基づき、ネットワーク機器に報告した目的ＣＳＩを決定することができる。
【課題を解決するための手段】
【０００５】
第１の態様として、情報伝送方法を提供する。当該情報伝送方法は、チャネル状態情報（ＣＳＩ）をベアラするために用いる複数の第１の物理上り制御チャネル（ＰＵＣＣＨ）リソースで少なくとも２つの第１のＰＵＣＣＨリソースが時間領域において少なくとも部分的に重畳する場合、端末機器は衝突ＣＳＩを伝送するために用いる第２のＰＵＣＣＨリソースに基づき、ネットワーク機器に報告する目的ＣＳＩを決定することと、前記端末機器は前記第２のＰＵＣＣＨリソースによって前記ネットワーク機器に前記目的ＣＳＩを報告することとを含む。
【０００６】
このため、本願の実施例の情報伝送方法によれば、ＣＳＩをベアラするために用いるＰＵＣＣＨリソースが重畳する場合、当該端末機器は衝突ＣＳＩを伝送するために用いる第２のＰＵＣＣＨリソースに基づき、ネットワーク機器に報告する目的ＣＳＩを決定することができる。
【０００７】
いくつかの可能な実現形態において、前記端末機器が衝突ＣＳＩを伝送するために用いる第２のＰＵＣＣＨリソースに基づき、ネットワーク機器に報告する目的ＣＳＩを決定することは、前記端末機器が前記第２のＰＵＣＣＨリソースの開始位置に基づき、前記ネットワーク機器に報告する前記目的ＣＳＩを決定することを含む。
【０００８】
いくつかの可能な実現形態において、前記端末機器が前記第２のＰＵＣＣＨリソースの開始位置に基づき、前記ネットワーク機器に報告する前記目的ＣＳＩを決定することは、
前記複数の第１のＰＵＣＣＨリソースで少なくとも１つの第１のＰＵＣＣＨリソースの開始位置が前記第２のＰＵＣＣＨリソースの開始位置より遅くない場合、前記端末機器は前記少なくとも１つのＰＵＣＣＨリソースにベアラされているＣＳＩを前記目的ＣＳＩとして決定することを含む。
【０００９】
このため、端末機器は、条件を満たす第１のＰＵＣＣＨリソースにベアラされているＣＳＩの全てを前記目的ＣＳＩとして決定することで、より多くのＣＳＩをネットワーク機器にフィードバックすることができ、これによって後続の伝送の伝送パラメータ、例えば、ビーム、変調・コーディングスキーム（Ｍｏｄｕｌａｔｉｏｎ  ａｎｄ  Ｃｏｄｉｎｇ  Ｓｃｈｅｍｅ、略称ＭＣＳ）及びＰＲＢなどを決定するためのより多くの参照情報をネットワーク機器に提供することができる。
【００１０】
いくつかの可能な実現形態において、前記端末機器が前記第２のＰＵＣＣＨリソースの開始位置に基づき、前記ネットワーク機器に報告する前記目的ＣＳＩを決定することは、前記複数の第１のＰＵＣＣＨリソースで少なくとも１つの第１のＰＵＣＣＨリソースの開始位置が前記第２のＰＵＣＣＨリソースの開始位置より遅くない場合、前記端末機器は前記少なくとも１つのＰＵＣＣＨリソースで開始位置が最早又は最遅の少なくとも１つのＰＵＣＣＨリソースにベアラされているＣＳＩを前記目的ＣＳＩとして決定することを含む。
【００１１】
いくつかの可能な実現形態において、前記端末機器が前記第２のＰＵＣＣＨリソースの開始位置に基づき、前記ネットワーク機器に報告する前記目的ＣＳＩを決定することは、前記端末機器が前記第２のＰＵＣＣＨリソースの開始位置、及び前記複数の第１のＰＵＣＣＨリソースにベアラされているＣＳＩの優先度に基づき、前記目的ＣＳＩを決定することを含む。
【００１２】
このため、本願の実施例の端末機器は、ＣＳＩの優先度と結び付けて報告するＣＳＩを決定することができ、優先度の高いＣＳＩを効果的に報告することに可能になる。
【００１３】
いくつかの可能な実現形態において、前記端末機器が前記第２のＰＵＣＣＨリソースの開始位置、及び前記複数の第１のＰＵＣＣＨリソースにベアラされているＣＳＩの優先度に基づき、前記目的ＣＳＩを決定することは、前記複数の第１のＰＵＣＣＨリソースで少なくとも１つの第１のＰＵＣＣＨリソースの開始位置が前記第２のＰＵＣＣＨリソースの開始位置より遅くない場合、前記端末機器は前記少なくとも１つの第１のＰＵＣＣＨリソースにベアラされているＣＳＩの優先度に基づき、前記目的ＣＳＩを決定することを含む。
【００１４】
いくつかの可能な実現形態において、前記端末機器が前記少なくとも１つの第１のＰＵＣＣＨリソースにベアラされているＣＳＩの優先度に基づき、前記目的ＣＳＩを決定することは、前記端末機器は前記少なくとも１つの第１のＰＵＣＣＨリソースにベアラされているＣＳＩで優先度が最高の少なくとも１つのＣＳＩを前記目的ＣＳＩとして決定することを含む。
【００１５】
いくつかの可能な実現形態において、前記端末機器が前記第２のＰＵＣＣＨリソースの開始位置、及び前記複数の第１のＰＵＣＣＨリソースにベアラされているＣＳＩの優先度に基づき、前記目的ＣＳＩを決定することは、前記複数の第１のＰＵＣＣＨリソースで少なくとも１つの第１のＰＵＣＣＨリソースの開始位置が前記第２のＰＵＣＣＨリソースの開始位置より遅くない場合、前記端末機器は前記少なくとも１つの第１のＰＵＣＣＨリソースで開始位置が最早又は最遅の第１のＰＵＣＣＨリソースにベアラされているＣＳＩの優先度に基づき、前記目的ＣＳＩを決定することを含む。
【００１６】
いくつかの可能な実現形態において、前記端末機器が前記少なくとも１つの第１のＰＵＣＣＨリソースで開始位置が最早又は最遅の第１のＰＵＣＣＨリソースにベアラされているＣＳＩの優先度に基づき、前記目的ＣＳＩを決定することは、前記端末機器は開始位置が最早又は最遅の第１のＰＵＣＣＨリソースにベアラされているＣＳＩで優先度が最高のＣＳＩを前記目的ＣＳＩとして決定することを含む。
【００１７】
いくつかの可能な実現形態において、前記端末機器が前記第２のＰＵＣＣＨリソースの開始位置に基づき、前記ネットワーク機器に報告する前記目的ＣＳＩを決定することは、前記端末機器が前記第２のＰＵＣＣＨリソースの開始位置及び前記複数の第１のＰＵＣＣＨリソースにベアラされている複数のＣＳＩの測定位置に基づき、前記目的ＣＳＩを決定することを含み、ただし、前記複数のＰＵＣＣＨリソースと前記複数のＣＳＩは一対一で対応する。
【００１８】
いくつかの可能な実現形態において、前記端末機器が前記第２のＰＵＣＣＨリソースの開始位置及び前記複数の第１のＰＵＣＣＨリソースにベアラされている複数のＣＳＩの測定位置に基づき、前記目的ＣＳＩを決定することは、前記複数のＣＳＩにおける各ＣＳＩの測定位置及び前記各ＣＳＩの処理時間に基づき、前記各ＣＳＩの処理終了位置を決定することと、前記端末機器は前記第２のＰＵＣＣＨリソースの開始位置及び前記各ＣＳＩの処理終了位置に基づき、前記目的ＣＳＩを決定することとを含む。
【００１９】
いくつかの可能な実現形態において、前記端末機器が前記第２のＰＵＣＣＨリソースの開始位置及び前記各ＣＳＩの処理終了位置に基づき、前記目的ＣＳＩを決定することは、前記複数のＣＳＩで少なくとも１つのＣＳＩの処理終了位置が前記第２のＰＵＣＣＨリソースの開始位置より遅くない場合、前記端末機器は前記少なくとも１つのＣＳＩを前記目的ＣＳＩとして決定することを含む。
【００２０】
いくつかの可能な実現形態において、前記端末機器が前記第２のＰＵＣＣＨリソースの開始位置及び前記各ＣＳＩの処理終了位置に基づき、前記目的ＣＳＩを決定することは、前記複数のＣＳＩで少なくとも１つのＣＳＩの処理終了位置が前記第２のＰＵＣＣＨリソースの開始位置より遅くない場合、前記端末機器は前記少なくとも１つのＣＳＩで処理終了位置が最早のＣＳＩを前記目的ＣＳＩとして決定することを含む。
【００２１】
いくつかの可能な実現形態において、前記端末機器が前記第２のＰＵＣＣＨリソースの開始位置及び前記各ＣＳＩの処理終了位置に基づき、前記目的ＣＳＩを決定することは、前記端末機器が前記第２のＰＵＣＣＨリソースの開始位置、前記各ＣＳＩの処理終了位置、及び前記各ＣＳＩの優先度に基づき、前記目的ＣＳＩを決定することを含む。
【００２２】
いくつかの可能な実現形態において、前記端末機器が前記第２のＰＵＣＣＨリソースの開始位置、前記各ＣＳＩの処理終了位置、及び前記各ＣＳＩの優先度に基づき、前記目的ＣＳＩを決定することは、前記複数のＣＳＩで少なくとも１つのＣＳＩの処理終了位置が前記第２のＰＵＣＣＨリソースの開始位置より遅くない場合、前記端末機器は前記少なくとも１つのＣＳＩの優先度に基づき、前記目的ＣＳＩを決定することを含む。
【００２３】
いくつかの可能な実現形態において、前記端末機器が前記少なくとも１つのＣＳＩの優先度に基づき、前記目的ＣＳＩを決定することは、前記端末機器は前記少なくとも１つのＣＳＩで優先度が最高のＣＳＩを前記目的ＣＳＩとして決定することを含む。
【００２４】
いくつかの可能な実現形態において、前記端末機器が前記第２のＰＵＣＣＨリソースの開始位置、前記各ＣＳＩの処理終了位置、及び前記各ＣＳＩの優先度に基づき、前記目的ＣＳＩを決定することは、
前記複数のＣＳＩで少なくとも１つのＣＳＩの処理終了位置が前記第２のＰＵＣＣＨリソースの開始位置より遅くない場合、前記端末機器は前記少なくとも１つのＣＳＩで処理終了位置が最早のＣＳＩの優先度に基づき、前記目的ＣＳＩを決定することを含む。
【００２５】
いくつかの可能な実現形態において、前記端末機器が前記少なくとも１つのＣＳＩで処理終了位置が最早のＣＳＩの優先度に基づき、前記目的ＣＳＩを決定することは、前記端末機器は前記少なくとも１つのＣＳＩで、処理終了位置が最早のＣＳＩで優先度が最高のＣＳＩを前記目的ＣＳＩとして決定することを含む。
【００２６】
いくつかの可能な実現形態において、前記複数のＣＳＩにおける各ＣＳＩの測定位置及び前記各ＣＳＩの処理時間に基づき、前記各ＣＳＩの処理終了位置を決定することは、
前記端末機器が前記各ＣＳＩの測定位置後の所定時間長の位置を前記各ＣＳＩの処理終了位置として決定することを含み、ただし、前記所定時間長は前記各ＣＳＩの処理時間にタイミングアドバンス（ＴＡ）を加算したものである。
【００２７】
いくつかの可能な実現形態において、前記第２のＰＵＣＣＨリソースの開始位置は、前記第２のＰＵＣＣＨリソースの開始符号である。
【００２８】
いくつかの可能な実現形態において、前記方法は、前記端末機器が前記ネットワーク機器によって送信される第１の情報を受信することをさらに含み、前記第１の情報が、複数の周期でＣＳＩをベアラするために用いる前記複数の第１のＰＵＣＣＨリソースの情報を含む。
【００２９】
いくつかの可能な実現形態において、前記第１の情報が、前記複数の周期でＣＳＩの測定のために用いる測定リソースの情報をさらに含む。
【００３０】
いくつかの可能な実現形態において、前記複数の周期のタイプは、周期、準周期、非周期のうちの少なくとも１つを含む。
【００３１】
いくつかの可能な実現形態において、前記方法は、前記端末機器が前記ネットワーク機器によって送信される第２の情報を受信することをさらに含み、前記第２の情報が、衝突ＣＳＩをベアラするために用いる前記第２のＰＵＣＣＨリソースの情報を含む。
【００３２】
いくつかの可能な実現形態において、前記第２のＰＵＣＣＨリソースの情報は、前記第２のＰＵＣＣＨリソースの時間領域における開始符号、持続時間、周波数領域における開始物理リソースブロック（ＰＲＢ）及びＰＲＢの持続数量のうちの少なくとも１つを含む。
【００３３】
いくつかの可能な実現形態において、前記チャネル状態情報（ＣＳＩ）をベアラするために用いる複数の第１の物理上り制御チャネル（ＰＵＣＣＨ）リソースで少なくとも２つの第１のＰＵＣＣＨリソースが時間領域において少なくとも部分的に重畳することは、前記複数の第１のＰＵＣＣＨリソースで少なくとも２つの第１のＰＵＣＣＨが時間領域において少なくとも１つの符号が重畳することを含む。
【００３４】
第２の態様として、情報伝送方法を提供する。当該情報伝送方法は、ネットワーク機器が端末機器に第１の情報を送信し、前記第１の情報が複数の周期でチャネル状態情報（ＣＳＩ）をベアラするために用いる複数の第１の物理上り制御チャネル（ＰＵＣＣＨ）リソースの情報を含み、ただし、ＣＳＩをベアラするために用いる前記複数の第１のＰＵＣＣＨリソースで少なくとも２つの第１のＰＵＣＣＨリソースが時間領域において少なくとも部分的に重畳することと、前記ネットワーク機器は前記端末機器に第２の情報を送信し、前記第２の情報が衝突ＣＳＩをベアラするために用いる第２のＰＵＣＣＨリソースの情報を含むこととを含む。
【００３５】
いくつかの可能な実現形態において、前記第１の情報は、前記複数の周期でＣＳＩの測定のために用いる測定リソースの情報をさらに含む。
【００３６】
いくつかの可能な実現形態において、前記複数の周期のタイプは、周期、準周期、非周期のうちの少なくとも１つを含む。
【００３７】
いくつかの可能な実現形態において、前記第２のＰＵＣＣＨリソースの情報は、前記第２のＰＵＣＣＨリソースの時間領域における開始符号、持続時間、周波数領域における開始物理リソースブロック（ＰＲＢ）及びＰＲＢの持続数量のうちの少なくとも１つを含む。
【００３８】
第３の態様として、端末機器を提供する。当該端末機器は、上記第１の態様又は第１の態様の任意可能な実現形態に係る方法を実行するために用いられる。具体的に言えば、当該端末機器は上記第１の態様又は第１の態様の任意の可能な実現形態に係る方法を実行するためのユニットを含む。
【００３９】
第４の態様として、ネットワーク機器を提供する。当該ネットワーク機器は、メモリと、プロセッサと、入力インタフェースと、出力インタフェースとを含む。ただし、メモリ、プロセッサ、入力インタフェース、出力インタフェースは、バスシステムを介して接続される。当該メモリは、コマンドを記憶するために用いられ、当該プロセッサは、当該メモリに記憶されているコマンドを実行して、上記の第１の態様又は第１の態様の任意の可能な実現形態に係る方法を実行するために用いられる。
【００４０】
第５の態様として、端末機器を提供する。当該端末機器は、上記の第２の態様又は第２の態様の任意の可能な実現形態に係る方法を実行するために用いられる。具体的に言えば、当該端末機器は上記の第２の態様又は第２の態様の任意の可能な実現形態に係る方法を実行するためのユニットを含む。
【００４１】
第６の態様として、ネットワーク機器を提供する。当該ネットワーク機器は、メモリと、プロセッサと、入力インタフェースと、出力インタフェースとを含む。ただし、メモリ、プロセッサ、入力インタフェース、出力インタフェースは、バスシステムを介して接続される。当該メモリは、コマンドを記憶するために用いられ、当該プロセッサは、当該メモリに記憶されているコマンドを実行して、上記の第２の態様又は第２の態様の任意の可能な実現形態に係る方法を実行するために用いられる。
【００４２】
第７の態様として、コンピュータ記憶媒体を提供する。当該コンピュータ記憶媒体は、上記の第１の態様又は第１の態様の任意可能な実現形態に係る方法を実行するための、上記態様を実行するために設計されるプログラムを含むコンピュータソフトウェアコマンドを記憶するために用いられる。
【００４３】
第８の態様として、コマンドを含むコンピュータプログラム製品を提供する。当該コンピュータプログラム製品がコンピュータ上で実行される時、コンピュータは上記の第１の態様又は第１の態様の任意の可能な実現形態に係る方法を実行する。
【００４４】
第９の態様として、コンピュータ記憶媒体を提供する。当該コンピュータ記憶媒体は、上記の第２の態様又は第２の態様の任意可能な実現形態に係る方法を実行するための、上記の態様を実行するために設計されるプログラムを含むコンピュータソフトウェアコマンドを記憶するために用いられる。
【００４５】
第１０の態様として、コマンドを含むコンピュータプログラム製品を提供する。当該コンピュータプログラム製品がコンピュータ上で実行される時、コンピュータは上記の第２の態様又は第２の態様の任意の可能な実現形態に係る方法を実行する。
【図面の簡単な説明】
【００４６】
【図１】本願の実施例の一つの適用シーンを示す概略図である。
【図２】本願の実施例の情報伝送方法を概略的に示すフローチャートである。
【図３】目的ＣＳＩの決定方法の一例を示す概略図である。
【図４】目的ＣＳＩの決定方法の他の例を示す概略図である。
【図５】目的ＣＳＩの決定方法の別の例を示す概略図である。
【図６】目的ＣＳＩの決定方法の別の例を示す概略図である。
【図７】目的ＣＳＩの決定方法の別の例を示す概略図である。
【図８】目的ＣＳＩの決定方法の別の例を示す概略図である。
【図９】目的ＣＳＩの決定方法の別の例を示す概略図である。
【図１０】本願の別の実施例の情報伝送方法を概略的に示すフローチャートである。
【図１１】本願の実施例の端末機器を概略的に示すブロック図である。
【図１２】本願の実施例のネットワーク機器を概略的に示すブロック図である。
【図１３】本願の別の実施例の端末機器を概略的に示すブロック図である。
【図１４】本願の別の実施例のネットワーク機器を概略的に示すブロック図である。
【発明を実施するための形態】
【００４７】
以下、本願の実施例に係る技術的手段を図面を参照して説明する。
【００４８】
本願の実施例に係る技術的手段は、例えば、グローバル移動体通信（Ｇｌｏｂａｌ  Ｓｙｓｔｅｍ  ｏｆ  Ｍｏｂｉｌｅ  ｃｏｍｍｕｎｉｃａｔｉｏｎ、略称ＧＳＭ（登録商標））システム、符号分割多元接続（Ｃｏｄｅ  Ｄｉｖｉｓｉｏｎ  Ｍｕｌｔｉｐｌｅ  Ａｃｃｅｓｓ、略称ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、略称ＷＣＤＭＡ（登録商標））システム、汎用パケット無線サービス（Ｇｅｎｅｒａｌ  Ｐａｃｋｅｔ  Ｒａｄｉｏ  Ｓｅｒｖｉｃｅ、略称ＧＰＲＳ）、ロングタームエボリューション（Ｌｏｎｇ  Ｔｅｒｍ  Ｅｖｏｌｕｔｉｏｎ、略称ＬＴＥ（登録商標））システム、ＬＴＥ周波数分割複信（Ｆｒｅｑｕｅｎｃｙ  Ｄｉｖｉｓｉｏｎ  Ｄｕｐｌｅｘ、略称ＦＤＤ）システム、ＬＴＥ時分割複信（Ｔｉｍｅ  Ｄｉｖｉｓｉｏｎ  Ｄｕｐｌｅｘ、略称ＴＤＤ）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、略称ＵＭＴＳ）、ワイマックス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、略称ＷｉＭＡＸ）通信システム、又は将来の５Ｇシステムなど様々な通信システムに用いることができる。
【００４９】
図１は、本願の実施例に適用された無線通信システム１００を示す。当該無線通信システム１００は、ネットワーク機器１１０を含んでもよい。ネットワーク機器１００は、端末機器と通信する機器であってもよい。ネットワーク機器１００は、特定の地域に通信カバレッジを提供し、当該カバレッジエリア内に位置する端末機器（例えば、ＵＥ）と通信することができる。選択的に、当該ネットワーク機器１００は、ＧＳＭシステム又はＣＤＭＡシステムにおける基地局（Ｂａｓｅ  Ｔｒａｎｓｃｅｉｖｅｒ  Ｓｔａｔｉｏｎ、略称ＢＴＳ）であってもよいし、ＷＣＤＭＡシステムにおける基地局（ＮｏｄｅＢ、略称ＮＢ）であってもよいし、ＬＴＥシステムにおける進化型基地局（Ｅｖｏｌｕｔｉｏｎａｌ  Ｎｏｄｅ  Ｂ、略称ｅＮＢ又はｅＮｏｄｅＢ）であってもよいし、クラウドラジオアクセスネットワーク（Ｃｌｏｕｄ  Ｒａｄｉｏ  Ａｃｃｅｓｓ  Ｎｅｔｗｏｒｋ、略称ＣＲＡＮ）における無線コントローラであってもよい。又は、当該ネットワーク機器は、中継局、アクセスポイント、車載機器、ウェアラブル機器、将来の５Ｇネットワークにおけるネットワーク側機器もしくは将来の進化型公衆陸上移動体ネットワーク（Ｐｕｂｌｉｃ  Ｌａｎｄ  Ｍｏｂｉｌｅ  Ｎｅｔｗｏｒｋ、略称ＰＬＭＮ）におけるネットワーク機器などであってもよい。
【００５０】
当該無線通信システム１００は、ネットワーク機器１１０のカバレッジ範囲内に位置する少なくとも１つの端末機器１２０をさらに含む。端末機器１２０は、移動型のものであってもよいし固定型のものであってもよい。選択的に、端末機器１２０とは、アクセス端末、ユーザ機器（Ｕｓｅｒ  Ｅｑｕｉｐｍｅｎｔ、略称ＵＥ）、加入者ユニット、加入者局、移動局、モバイルステーション、遠隔局、遠隔端末、移動機器、ユーザ端末、端末、無線通信機器、ユーザーエージェント装置又はユーザ装置を指すことができる。アクセス端末は、セルラーホン、コードレス電話、セッションイニシエーションプロトコル（Ｓｅｓｓｉｏｎ  Ｉｎｉｔｉａｔｉｏｎ  Ｐｒｏｔｏｃｏｌ、略称ＳＩＰ）電話、無線ローカルループ（Ｗｉｒｅｌｅｓｓ  Ｌｏｃａｌ  Ｌｏｏｐ、略称ＷＬＬ）局、パーソナルデジタルアシスタント（Ｐｅｒｓｏｎａｌ  Ｄｉｇｉｔａｌ  Ａｓｓｉｓｔａｎｔ、略称ＰＤＡ）、無線通信機能を有するハンドヘルド機器、演算機器、又は無線モデムに接続されているその他の処理機器、車載機器、ウェアラブル機器、将来の５Ｇネットワークにおける端末機器、又は将来の進化型ＰＬＭＮにおける端末機器などであってもよい。
【００５１】
図２は、本願の実施例によって提供される方法を示す。当該方法２００は、図１に示す通信システム１００における端末機器によって実行されてもよい。図２に示すように、当該方法２００は、Ｓ２１０と、Ｓ２２０とを含むことができる。
【００５２】
Ｓ２１０において、チャネル状態情報（ＣＳＩ）をベアラするために用いる複数の第１の物理上り制御チャネル（ＰＵＣＣＨ）リソースで少なくとも２つの第１のＰＵＣＣＨリソースが時間領域において少なくとも部分的に重畳する場合、端末機器は衝突ＣＳＩを伝送するために用いる第２のＰＵＣＣＨリソースに基づき、ネットワーク機器に報告する目的ＣＳＩを決定する。
【００５３】
Ｓ２２０において、前記端末機器は前記第２のＰＵＣＣＨリソースによって前記ネットワーク機器に前記目的ＣＳＩを報告する。
【００５４】
選択的に、本願の実施例において、前記複数の第１のＰＵＣＣＨリソースは複数の周期に対応してもよい。選択的に、前記複数の周期の長さは同一であってもよいし異なっていてもよい。即ち、前記複数の周期のタイプは、周期、準周期、非周期のうちの少なくとも１つを含むことができる。
【００５５】
非限定的な例として、各第１のＰＵＣＣＨリソースの情報は、前記第１のＰＵＣＣＨリソースの時間領域における開始位置、持続時間、終了位置、周波数領域における開始物理リソースブロック（Ｐｈｙｓｉｃａｌ  Ｒｅｓｏｕｒｃｅ  Ｂｌｏｃｋ、略称ＰＲＢ）、ＰＲＢの持続数量、終了ＰＲＢのうちの少なくとも１つを含むことができる。
【００５６】
選択的に、本願の実施例において、前記複数の第１のＰＵＣＣＨリソースの情報は、ネットワーク機器によって設定されてもよい。例えば、ネットワーク機器は、端末機器に第１の情報を送信することができ、当該第１の情報は、当該複数の第１のＰＵＣＣＨリソースの情報を含むことができる。選択的に、前記第１の情報は、複数の周期でＣＳＩの測定のために用いる測定リソースの情報をさらに含んでもよい。
【００５７】
非限定的な例として、ＣＳＩの測定のために用いる測定リソースの情報は、ＣＳＩの測定のために用いる測定リソースの時間領域における開始位置、持続時間、終了位置、周波数領域における開始ＰＲＢ、ＰＲＢの持続数量及び終了ＰＲＢなどのうちの少なくとも１つを含むことができる。
【００５８】
即ちネットワーク機器は、複数の周期でＣＳＩの測定のために用いる測定リソース、及び当該複数の周期でＣＳＩのフィードバックのために用いるＰＵＣＣＨリソースを端末機器に設定することができ、これによって端末機器は、当該各周期内の測定リソースを用いてＣＳＩ測定を行い、当該各周期内のＰＵＣＣＨリソースに基づきＣＳＩのフィードバックを行うことができる。
【００５９】
選択的に、本願の実施例において、ＣＳＩのフィードバックのために用いる複数の第１のＰＵＣＣＨリソースで少なくとも２つの第１のＰＵＣＣＨリソースが時間領域において少なくとも部分的に重畳する。
【００６０】
なお、ここで言及される重畳は、タイムスロットを単位としてもよいし、直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅ、略称ＯＦＤＭ）符号（ｓｙｍｂｏｌ）を単位としてもよく、又はその他の時間ユニットを単位としてもよいが、本願の実施例はこれについて限定しない。
【００６１】
例えば、ＣＳＩのフィードバックのために用いる複数の第１のＰＵＣＣＨリソースで少なくとも２つの第１のＰＵＣＣＨリソースが時間領域において少なくとも部分的に重畳することは、ＣＳＩをベアラするために用いる複数の第１のＰＵＣＣＨリソースで少なくとも２つの第１のＰＵＣＣＨリソースが時間領域において少なくとも１つのＯＦＤＭ  ｓｙｍｂｏｌが重畳することを含んでよい。
【００６２】
選択的に、本願の実施例で衝突ＣＳＩは、重畳する当該少なくとも１つのＯＦＤＭ  ｓｙｍｂｏｌにベアラされているＣＳＩであってもよい。即ち当該衝突ＣＳＩは、重畳する第１のＰＵＣＣＨリソースにベアラされているＣＳＩと見なされてもよい。例えば、ＣＳＩ１を伝送するために用いる第１のＰＵＣＣＨリソースとＣＳＩ２を伝送するために用いる第１のＰＵＣＣＨリソースが重畳する場合、ＣＳＩ１とＣＩＳ２は衝突ＣＳＩと見なすことができる。
【００６３】
選択的に、本願の実施例において、ネットワーク機器は、さらに、衝突ＣＳＩを伝送するために用いる第２のＰＵＣＣＨリソースを端末機器に設定してもよい。選択的に、当該第２のＰＵＣＣＨリソースは、従来のｍｕｌｔｉ−ＣＳＩ  ＰＵＣＣＨリソースであってもよい。例えば、前記ネットワーク機器は、当該第２のＰＵＣＣＨリソースの情報が付随されている第２の情報を端末機器に送信することで、当該端末機器に当該第２のＰＵＣＣＨリソースの情報を通知することができる。
【００６４】
選択的に、本願の実施例において、前記第２のＰＵＣＣＨリソースの情報は、前記第２のＰＵＣＣＨリソースの時間領域における開始位置、持続時間、終了位置、周波数領域における開始物理リソースブロック（ＰＲＢ）、ＰＲＢの持続数量及び終了ＰＲＢのうちの少なくとも１つを含む。
【００６５】
本願の実施例において、ＣＳＩをベアラするために用いる複数の第１のＰＵＣＣＨリソースで少なくとも２つのＰＵＣＣＨリソースが少なくとも部分的に重畳する場合、端末機器は衝突ＣＳＩを伝送するために用いる第２のＰＵＣＣＨリソースに基づき、ネットワーク機器にどのＣＳＩを報告するかを決定することができる。なお、本願の実施例において、前記第２のＰＵＣＣＨリソースのサイズは特に限定されない。例えば、当該第２のＰＵＣＣＨリソースは全てのＣＳＩを報告するのに十分であってもよいし、又は全てのＣＳＩを報告するのに十分でなくてもよい。即ち本願の実施例は、第２のＰＵＣＣＨリソースが全てのＣＳＩを報告するのに十分なシーンに適用されてもよいし、第２のＰＵＣＣＨリソースが全てのＣＳＩを報告するのに十分でないシーンに適用されてもよい。
【００６６】
選択的に、当該第２のＰＵＣＣＨリソースは全てのＣＳＩを報告するのに十分である場合、当該端末機器は全てのＣＳＩを報告してもよいし、又はＣＳＩの優先度及び／又は第１のＰＵＣＣＨリソースの位置に基づき、どのＣＳＩを報告するかを決定してもよい。又は、当該第２のＰＵＣＣＨリソースは全てのＣＳＩを報告するのに十分でない場合、当該端末機器はＣＳＩの優先度及び／又は第１のＰＵＣＣＨリソースの位置に基づき、どのＣＳＩを報告するかを決定してもよい。
【００６７】
選択的に、端末機器は優先度の順序に基づき、優先度が最高のＣＳＩを選択して報告してもよいし、又は第１のＰＵＣＣＨリソースの開始位置の順序に基づき、どのＣＳＩを報告するかを決定してもよい。複数の第１のＰＵＣＣＨリソースの開始位置が同一である場合、さらに、ＣＳＩの優先度と結び付けて最終的に報告するＣＳＩを決定してもよく、又は当該端末機器はＣＳＩの優先度に基づき、どのＣＳＩを報告するかを決定してもよいし、第１のＰＵＣＣＨリソースの位置と結び付けて最終的に報告するＣＳＩを決定してもよい。本願の実施例において、具体的な決定方法は具体的に限定されない。
【００６８】
例えば、当該端末機器は優先度が最高のＣＳＩを報告してもよいし、又は開始位置が最早の第１のＰＵＣＣＨリソースにベアラされているＣＳＩを報告してもよいし、又は開始位置が最遅の第１のＰＵＣＣＨリソースにベアラされているＣＳＩを報告してもよい。又は、２つの第１のＰＵＣＣＨリソースの開始位置が同一である場合、当該端末機器は、さらに、ＣＳＩの優先度と結び付けてどのＣＳＩを報告するかを決定してもよいし、又は２つのＣＳＩの優先度が同一である場合、当該端末機器は、さらに、当該ＣＳＩをベアラしている第１のＰＵＣＣＨリソースの位置と結び付けてどのＣＳＩを報告するかを決定してもよい。例えば、開始位置が早いほうのＣＳＩを報告することを決定してもよいし、又は開始位置が遅いほうのＣＳＩを報告することを決定してもよい。
【００６９】
例えば、当該端末機器は当該複数の第１のＰＵＣＣＨリソースの開始位置及び当該第２のＰＵＣＣＨリソースの開始位置に基づき、ネットワーク機器に報告するＣＳＩを決定することができる。例えば、ＣＳＩ１をベアラするために用いる第１のＰＵＣＣＨリソースの開始位置が当該第２のＰＵＣＣＨリソースの開始位置より早い場合、当該端末機器は当該ＣＳＩ１をネットワーク機器に報告する目的ＣＳＩとして決定してもよい。又は、選択的に、当該端末機器は当該複数の第１のＰＵＣＣＨリソースのサイズ及び当該第２のＰＵＣＣＨリソースのサイズに基づき、ネットワーク機器に報告するＣＳＩを決定してもよい。例えば、ＣＳＩ２をベアラするために用いる第１のＰＵＣＣＨリソースが第２のＰＵＣＣＨリソースより小さい場合、当該端末機器はネットワーク機器に当該ＣＳＩ２を報告することを決定することができる。
【００７０】
選択的に、本願の実施例において、Ｓ２１０は、前記端末機器が前記第２のＰＵＣＣＨリソースの開始位置に基づき、前記ネットワーク機器に報告する前記目的ＣＳＩを決定することを含むことができる。
【００７１】
例えば、当該端末機器は当該複数の第１のＰＵＣＣＨリソースの開始位置と当該第２のＰＵＣＣＨリソースの開始位置との関係に基づき、ネットワーク機器にどのＣＳＩを報告するかを決定してもよい。選択的に、当該端末機器は、開始位置が当該第２のＰＵＣＣＨリソースの開始位置より早い第１のＰＵＣＣＨリソースにおいて所定の数量又は所定の割合で第１のＰＵＣＣＨリソースを決定し（目的第１のＰＵＣＣＨリソースと記す）、次に、決定された当該目的第１のＰＵＣＣＨリソースにベアラされているＣＳＩをネットワーク機器に報告する目的ＣＳＩとして決定してもよい。例えば、ＣＳＩ１、ＣＳＩ２及びＣＳＩ３をベアラするために用いる第１のＰＵＣＣＨリソースの開始位置はいずれも当該第２のＰＵＣＣＨリソースの開始位置より早く、即ち当該目的第１のＰＵＣＣＨリソースはＣＳＩ１、ＣＳＩ２及びＣＳＩ３をベアラするために用いる第１のＰＵＣＣＨリソースを含んでもよい。次に、当該目的第１のＰＵＣＣＨリソースにおいて１つ又は複数の第１のＰＵＣＣＨリソース、例えば、ＣＳＩ１をベアラするために用いる第１のＰＵＣＣＨリソースを選択し、さらに、ＣＳＩ１をベアラするために用いる当該第１のＰＵＣＣＨリソースにベアラされているＣＳＩを目的ＣＳＩとして決定し、即ちＣＳＩ１を目的ＣＳＩとして決定する。
【００７２】
以下、当該目的ＣＳＩの決定方法を具体的な実施例を参照して説明する。
【００７３】
「実施例１」
選択的に、当該実施例１において、前記端末機器が前記第２のＰＵＣＣＨリソースの開始位置に基づき、前記ネットワーク機器に報告する前記目的ＣＳＩを決定することは、前記複数の第１のＰＵＣＣＨリソースで少なくとも１つの第１のＰＵＣＣＨリソースの開始位置が前記第２のＰＵＣＣＨリソースの開始位置より遅くない場合（第１条件と記す）、前記端末機器は前記少なくとも１つのＰＵＣＣＨリソースにベアラされているＣＳＩを前記目的ＣＳＩとして決定することを含む。
【００７４】
具体的に言えば、端末機器は当該複数の第１のＰＵＣＣＨリソースの開始位置と当該第２のＰＵＣＣＨリソースの開始位置とを比較することで、当該複数の第１のＰＵＣＣＨリソースで開始位置が当該第２のＰＵＣＣＨリソースの開始位置より遅くない第１のＰＵＣＣＨリソースを決定してもよく、当該複数の第１のＰＵＣＣＨで１つ又は複数の第１のＰＵＣＣＨリソースの開始位置が当該第２のＰＵＣＣＨリソースの開始位置より遅くない場合、当該端末機器は当該１つ又は複数の第１のＰＵＣＣＨリソースにベアラされているＣＳＩをネットワーク機器に報告する目的ＣＳＩとして決定することができる。
【００７５】
即ち端末機器は、当該複数の第１のＰＵＣＣＨリソースで開始位置が当該第２のＰＵＣＣＨリソースの開始位置より遅くない第１のＰＵＣＣＨリソースを選択し、それを候補の第１のＰＵＣＣＨリソースとして決定してもよく、さらに、当該候補の第１のＰＵＣＣＨリソースにベアラされているＣＳＩを目的ＣＳＩとして決定してもよい。
【００７６】
これにより、端末機器は第１条件を満たす第１のＰＵＣＣＨリソースにベアラされているＣＳＩの全てを前記目的ＣＳＩとして決定することで、より多くのＣＳＩをネットワーク機器にフィードバックすることができ、これによって後続の伝送の伝送パラメータ、例えば、ビーム、変調・コーディングスキーム（Ｍｏｄｕｌａｔｉｏｎ  ａｎｄ  Ｃｏｄｉｎｇ  Ｓｃｈｅｍｅ、略称ＭＣＳ）及びＰＲＢなどを決定するためのより多くの参照情報をネットワーク機器に提供することができる。
【００７７】
例を挙げて説明すると、図３に示すように、ＣＳＩ１をベアラするために用いる第１のＰＵＣＣＨリソースは、符号０〜符号３を含み、即ち開始符号は符号０である。ＣＳＩ２をベアラするために用いる第１のＰＵＣＣＨリソースは、符号２〜符号４を含み、即ち開始符号は符号２である。第２のＰＵＣＣＨリソースは、符号１〜符号５を含み、即ち開始符号は符号１である。
【００７８】
実施例１に記載の決定方法によれば、端末機器は、ＣＳＩ１をベアラするために用いる第１のＰＵＣＣＨリソースの開始位置が当該第２のＰＵＣＣＨリソースの開始位置より早いことを決定してもよく、さらに、ＣＳＩ１を目的ＣＳＩとして決定してもよく、これによって当該第２のＰＵＣＣＨリソースによってＣＳＩ１を伝送することができる。
【００７９】
別の例として、図４に示すように、ＣＳＩ１をベアラするために用いる第１のＰＵＣＣＨリソースは、符号０〜符号３を含み、即ち開始符号は符号０である。ＣＳＩ２をベアラするために用いる第１のＰＵＣＣＨリソースは、符号０〜符号４を含み、即ち開始符号は符号０である。ＣＳＩ３をベアラするために用いる第１のＰＵＣＣＨリソースは、符号１〜符号５を含み、即ち開始符号は符号１である。第２のＰＵＣＣＨリソースは、符号１〜符号６を含み、即ち開始符号は符号１である。
【００８０】
実施例１に記載の決定方法によれば、端末機器は、ＣＳＩ１、ＣＳＩ２及びＣＳＩ３をベアラするために用いる第１のＰＵＣＣＨリソースの開始位置はいずれも当該第２のＰＵＣＣＨリソースの開始位置より遅くないことを決定してもよく、さらに、ＣＳＩ１、ＣＳＩ２及びＣＳＩ３をいずれも目的ＣＳＩとして決定してもよく、これによって当該第２のＰＵＣＣＨリソースによってＣＳＩ１、ＣＳＩ２及びＣＳＩ３を伝送することができる。
【００８１】
「実施例２」
選択的に、当該実施例２において、前記端末機器が前記第２のＰＵＣＣＨリソースの開始位置に基づき、前記ネットワーク機器に報告する前記目的ＣＳＩを決定することは、前記複数の第１のＰＵＣＣＨリソースで少なくとも１つの第１のＰＵＣＣＨリソースの開始位置が前記第２のＰＵＣＣＨリソースの開始位置より遅くない場合、前記端末機器は前記少なくとも１つのＰＵＣＣＨリソースで開始位置が最早又は最遅の少なくとも１つのＰＵＣＣＨリソースにベアラされているＣＳＩを前記目的ＣＳＩとして決定することを含む。
【００８２】
具体的に言えば、端末機器は当該複数の第１のＰＵＣＣＨリソースの開始位置と当該第２のＰＵＣＣＨリソースとの開始位置を比較することで、当該複数の第１のＰＵＣＣＨリソースで開始位置が当該第２のＰＵＣＣＨリソースの開始位置より遅くない第１のＰＵＣＣＨリソースを決定してもよく、当該複数の第１のＰＵＣＣＨで１つ又は複数の第１のＰＵＣＣＨリソースの開始位置が当該第２のＰＵＣＣＨリソースの開始位置より遅くない場合、当該端末機器は当該１つ又は複数の第１のＰＵＣＣＨリソースにおいて開始位置が最早の１つ又は複数の第１のＰＵＣＣＨリソースを選択し、開始位置が最早の１つ又は複数の第１のＰＵＣＣＨリソースにベアラされているＣＳＩをネットワーク機器に報告する目的ＣＳＩとして決定してもよい。
【００８３】
又は、当該端末機器は、当該１つ又は複数の第１のＰＵＣＣＨリソースにおいて開始位置が最遅の１つ又は複数の第１のＰＵＣＣＨリソースを選択し、開始位置が最遅の１つ又は複数の第１のＰＵＣＣＨリソースにベアラされているＣＳＩをネットワーク機器に報告する目的ＣＳＩとして決定してもよい。
【００８４】
即ち端末機器は、当該複数の第１のＰＵＣＣＨリソースで開始位置が当該第２のＰＵＣＣＨリソースの開始位置より遅くない第１のＰＵＣＣＨリソースを選択し、それを候補の第１のＰＵＣＣＨリソースとして決定してもよく、さらに、当該候補の第１のＰＵＣＣＨリソースにおいて開始位置が最早（又は最遅）の１つ又は複数の第１のＰＵＣＣＨリソースを選択し、当該１つ又は複数の第１のＰＵＣＣＨリソースにベアラされているＣＳＩを目的ＣＳＩとして決定する。
【００８５】
例を挙げると、図５に示すように、ＣＳＩ１をベアラするために用いる第１のＰＵＣＣＨリソースは、符号０〜符号３を含み、即ち開始符号は符号０である。ＣＳＩ２をベアラするために用いる第１のＰＵＣＣＨリソースは、符号０〜符号４を含み、即ち開始符号は符号０である。ＣＳＩ３をベアラするために用いる第１のＰＵＣＣＨリソースは、符号１〜符号５を含み、即ち開始符号は符号１である。第２のＰＵＣＣＨリソースは、符号１〜符号６を含み、即ち開始符号は符号１である。
【００８６】
実施例２に記載の決定方法によれば、当該端末機器は、ＣＳＩ１、ＣＳＩ２及びＣＳＩ３をベアラするために用いる第１のＰＵＣＣＨリソースの開始位置はいずれも当該第２のＰＵＣＣＨリソースの開始位置より遅くないことを決定してもよく、さらに、当該３つの第１のＰＵＣＣＨリソースで開始位置が最早の第１のＰＵＣＣＨリソースを選択する。ただし、ＣＳＩ１及びＣＳＩ２をベアラするために用いる第１のＰＵＣＣＨリソースの開始位置は同一であり、かつ、いずれも最早であるため、当該端末機器はＣＳＩ１及びＣＳＩ２を目的ＣＳＩとして決定してもよく、これによって当該第２のＰＵＣＣＨリソースによってＣＳＩ１及びＣＳＩ２を伝送することができる。
【００８７】
「実施例３」
選択的に、実施例３において、前記端末機器が前記第２のＰＵＣＣＨリソースの開始位置に基づき、前記ネットワーク機器に報告する前記目的ＣＳＩを決定することは、前記端末機器が前記第２のＰＵＣＣＨリソースの開始位置、及び前記複数の第１のＰＵＣＣＨリソースにベアラされているＣＳＩの優先度に基づき、前記目的ＣＳＩを決定することを含む。
【００８８】
具体的に言えば、端末機器は、当該複数の第１のＰＵＣＣＨリソースの開始位置と当該第２のＰＵＣＣＨリソースとの開始位置を比較することで、当該複数の第１のＰＵＣＣＨリソースで開始位置が当該第２のＰＵＣＣＨリソースの開始位置より遅くない第１のＰＵＣＣＨリソースを決定してもよく、前記複数の第１のＰＵＣＣＨリソースで少なくとも１つの第１のＰＵＣＣＨリソースの開始位置が前記第２のＰＵＣＣＨリソースの開始位置より遅くない場合、当該少なくとも１つの第１のＰＵＣＣＨリソースを候補の第１のＰＵＣＣＨリソースとして決定し、さらに、当該端末機器はＣＳＩの優先度と結び付けて、ネットワーク機器に報告する目的ＣＳＩを決定してもよい。
【００８９】
以下、実施例４及び実施例５と結び付けて実施例３の具体的な実施例を説明する。
【００９０】
選択的に、当該実施例４において、前記端末機器が前記第２のＰＵＣＣＨリソースの開始位置、及び前記複数の第１のＰＵＣＣＨリソースにベアラされているＣＳＩの優先度に基づき、前記目的ＣＳＩを決定することは、前記複数の第１のＰＵＣＣＨリソースで少なくとも１つの第１のＰＵＣＣＨリソースの開始位置が前記第２のＰＵＣＣＨリソースの開始位置より遅くない場合、前記端末機器が前記少なくとも１つの第１のＰＵＣＣＨリソースにベアラされているＣＳＩの優先度に基づき、前記目的ＣＳＩを決定することを含む。
【００９１】
例えば、当該候補の第１のＰＵＣＣＨリソースにベアラされているＣＳＩで優先度が最高の１つ又は複数のＣＳＩを前記目的ＣＳＩとして決定してもよいし、又は、優先度が特定の優先度（例えば、優先度１）より高い１つ又は複数のＣＳＩを当該目的ＣＳＩとして決定してもよい。
【００９２】
例を挙げると、図６に示すように、ＣＳＩ１をベアラするために用いる第１のＰＵＣＣＨリソースは、符号０〜符号３を含み、即ち開始符号は符号０であり、ＣＳＩ１の優先度は１である。ＣＳＩ２をベアラするために用いる第１のＰＵＣＣＨリソースは、符号１〜符号４を含み、即ち開始符号は符号１であり、ＣＳＩ１の優先度は０である。ＣＳＩ３をベアラするために用いる第１のＰＵＣＣＨリソースは、符号１〜符号５を含み、即ち開始符号は符号１であり、ＣＳＩ１の優先度は２である。第２のＰＵＣＣＨリソースは、符号１〜符号６を含み、即ち開始符号は符号１である。
【００９３】
当該実施例４に記載の決定方法によれば、当該端末機器は、候補の第１のＰＵＣＣＨリソースは第１のＰＵＣＣＨリソースの全てを含むことを決定してもよく、さらに、ＣＳＩの優先度と結び付けてどのＣＳＩを報告するかを決定してもよい。例えば、当該端末機器は、優先度が最高のＣＳＩを目的ＣＳＩとして決定してもよく、即ちＣＳＩ２を目的ＣＳＩとして決定してもよいし、又は当該端末機器は、優先度が特定の優先度（例えば、優先度１）より高いＣＳＩを当該目的ＣＳＩとして決定してもよいし、即ちＣＳＩ２を目的ＣＳＩとして決定してもよく、これによって当該第２のＰＵＣＣＨリソースによってＣＳＩ２を伝送することができる。
【００９４】
選択的に、実施例５において、前記端末機器が前記第２のＰＵＣＣＨリソースの開始位置、及び前記複数の第１のＰＵＣＣＨリソースにベアラされているＣＳＩの優先度に基づき、前記目的ＣＳＩを決定することは、前記複数の第１のＰＵＣＣＨリソースで少なくとも１つの第１のＰＵＣＣＨリソースの開始位置が前記第２のＰＵＣＣＨリソースの開始位置より遅くない場合、前記端末機器は前記少なくとも１つの第１のＰＵＣＣＨリソースで開始位置が最早又は最遅の第１のＰＵＣＣＨリソースにベアラされているＣＳＩの優先度に基づき、前記目的ＣＳＩを決定することを含む。
【００９５】
具体的に言えば、端末機器は当該複数の第１のＰＵＣＣＨリソースの開始位置と当該第２のＰＵＣＣＨリソースとの開始位置を比較することで、当該複数の第１のＰＵＣＣＨリソースで開始位置が当該第２のＰＵＣＣＨリソースの開始位置より遅くない第１のＰＵＣＣＨリソースを決定してもよく、前記複数の第１のＰＵＣＣＨリソースで少なくとも１つの第１のＰＵＣＣＨリソースの開始位置が前記第２のＰＵＣＣＨリソースの開始位置より遅くない場合、当該端末機器は、当該少なくとも１つの第１のＰＵＣＣＨリソースで開始位置が最早又は最遅の１つ又は複数の第１のＰＵＣＣＨリソースを候補の第１のＰＵＣＣＨリソースとして決定してもよく、さらに、ＣＳＩの優先度と結び付けて、ネットワーク機器に報告する目的ＣＳＩを決定してもよい。
【００９６】
例えば、前記端末機器は、当該候補の第１のＰＵＣＣＨリソースにベアラされているＣＳＩで優先度が最高の少なくとも１つのＣＳＩを前記目的ＣＳＩとして決定してもよいし、又は当該候補の第１のＰＵＣＣＨリソースにベアラされているＣＳＩで優先度が特定の優先度（例えば、優先度１）より高い１つ又は複数のＣＳＩを当該目的ＣＳＩとして決定してもよい。
【００９７】
このため、本願の実施例において、端末機器はＣＳＩの優先度と結び付けて報告する目的ＣＳＩを決定することで、優先度が高いほうのＣＳＩを優先して報告することが保証されることができ、これによって基地局はｍｕｌｔｉ−ＣＳＩ  ＰＵＣＣＨリソースによってより価値のある情報を受信することが保証される。
【００９８】
例を挙げると、図７に示すように、ＣＳＩ１をベアラするために用いる第１のＰＵＣＣＨリソースは、符号０〜符号３を含み、優先度は０である。ＣＳＩ２をベアラするために用いる第１のＰＵＣＣＨリソースは、符号０〜符号４を含み、優先度は１である。ＣＳＩ３をベアラするために用いる第１のＰＵＣＣＨリソースは、符号１〜符号５を含み、優先度は２である。第２のＰＵＣＣＨリソースは、符号１〜符号６を含む。
【００９９】
実施例５に記載の決定方法によれば、当該端末機器は、ＣＳＩ１、ＣＳＩ２及びＣＳＩ３をベアラするために用いる第１のＰＵＣＣＨリソースの開始位置はいずれも当該第２のＰＵＣＣＨリソースの開始位置より遅くないことを決定することができ、さらに、当該３つの第１のＰＵＣＣＨリソースで開始位置が最早の第１のＰＵＣＣＨリソースを選択する。ＣＳＩ１及びＣＳＩ２をベアラするために用いる第１のＰＵＣＣＨリソースの開始位置は同一であり、且つ、いずれも最早であり、即ち候補の第１のＰＵＣＣＨリソースはＣＳＩ１及びＣＳＩ２をベアラするために用いる第１のＰＵＣＣＨリソースを含む。さらに、当該端末機器は、ＣＳＩ１の優先度がＣＳＩ２の優先度より高いことを決定してもよく、これによって当該端末機器はＣＳＩ１を目的ＣＳＩとして決定することで、当該第２のＰＵＣＣＨリソースによってＣＳＩ１を伝送することができる。又は、当該端末機器は、当該候補の第１のＰＵＣＣＨリソースにベアラされているＣＳＩで優先度が特定の優先度より高いＣＳＩを当該目的ＣＳＩとして決定してもよい。例えば、当該特定の優先度が優先度２である場合、当該端末機器はＣＳ１及びＣＳＩ２をいずれも目的ＣＳＩとして決定してもよい。
【０１００】
「実施例６」
選択的に、実施例６において、前記端末機器が前記第２のＰＵＣＣＨリソースの開始位置に基づき、前記ネットワーク機器に報告する前記目的ＣＳＩを決定することは、前記端末機器が前記第２のＰＵＣＣＨリソースの開始位置及び前記複数の第１のＰＵＣＣＨリソースにベアラされている複数のＣＳＩの測定位置に基づき、前記目的ＣＳＩを決定することを含み、ただし、前記複数のＰＵＣＣＨリソースと前記複数のＣＳＩは一対一で対応する。
【０１０１】
上記の説明から分かるように、ネットワーク機器はＣＳＩの測定のために用いる測定リソースを端末機器に設定できるため、当該端末機器は当該第２のＰＵＣＣＨリソースの開始位置及びＣＳＩの測定位置に基づき、目的ＣＳＩを決定することができる。例えば、端末機器はＣＳＩの測定位置と第２のＰＵＣＣＨリソースの開始位置との間の時間間隔に基づき、当該目的ＣＳＩを決定してもよい。例えば、時間間隔が特定の閾値より大きい測定位置に対応するＣＳＩを目的ＣＳＩとして決定してもよい。
【０１０２】
選択的に、いくつかの実施例において、前記端末機器が前記第２のＰＵＣＣＨリソースの開始位置及び前記複数の第１のＰＵＣＣＨリソースにベアラされている複数のＣＳＩの測定位置に基づき、前記目的ＣＳＩを決定することは、前記複数のＣＳＩにおける各ＣＳＩの測定位置及び前記各ＣＳＩの処理時間に基づき、前記各ＣＳＩの処理終了位置を決定することと、前記端末機器は前記第２のＰＵＣＣＨリソースの開始位置及び前記各ＣＳＩの処理終了位置に基づき、前記目的ＣＳＩを決定することとを含む。
【０１０３】
具体的に言えば、端末機器は、ＣＳＩの測定後、ネットワーク機器にＣＳＩを報告することに備え、測定されたＣＳＩに処理を行ってもよく、このため、端末機器は、ＣＳＩの測定位置及び処理時間（即ちＣＳＩ  ｃｏｍｐｕｔａｔｉｏｎ  ｔｉｍｅ）に基づき、ＣＳＩの処理終了位置を決定してもよく、さらに、当該第２のＰＵＣＣＨリソースの開始位置及び当該ＣＳＩの処理終了位置に基づき、どのＣＳＩを報告するかを決定してもよい。例えば、処理終了位置が最早のＣＳＩを当該目的ＣＳＩとして決定してもよいし、又は処理終了位置が第２のＰＵＣＣＨリソースの開始位置より早いＣＳＩを目的ＣＳＩとして決定してもよい。
【０１０４】
又は、当該端末機器はＣＳＩの優先度と結び付けてどのＣＳＩを報告するかを決定してもよい。例えば、優先度の順序に基づき、どのＣＳＩを報告するかを決定してもよいし、又は処理終了位置が最早のＣＳＩが複数存在する場合、さらに、ＣＳＩの優先度と結び付けてどのＣＳＩを報告するかを決定してもよい。
【０１０５】
以下、実施例７〜実施例１１と結び付けて、実施例６に関するいくつかの具体的な実施例を説明する。
【０１０６】
選択的に、当該実施例７において、前記端末機器が前記第２のＰＵＣＣＨリソースの開始位置及び前記各ＣＳＩの処理終了位置に基づき、前記目的ＣＳＩを決定することは、前記複数のＣＳＩで少なくとも１つのＣＳＩの処理終了位置が前記第２のＰＵＣＣＨリソースの開始位置より遅くない場合、前記端末機器は前記少なくとも１つのＣＳＩを前記目的ＣＳＩとして決定することを含む。
【０１０７】
選択的に、当該実施例８において、前記端末機器が前記第２のＰＵＣＣＨリソースの開始位置及び前記各ＣＳＩの処理終了位置に基づき、前記目的ＣＳＩを決定することは、前記複数のＣＳＩで少なくとも１つのＣＳＩの処理終了位置が前記第２のＰＵＣＣＨリソースの開始位置より遅くない場合、前記端末機器が前記少なくとも１つのＣＳＩで処理終了位置が最早のＣＳＩを前記目的ＣＳＩとして決定することを含む。
【０１０８】
具体的に言えば、端末機器は各ＣＳＩの測定位置及び処理時間に基づき、各ＣＳＩの処理終了位置を決定した後、さらに、当該各ＣＳＩの処理終了位置と当該第２のＰＵＣＣＨリソースの開始位置とを比較してもよい。少なくとも１つのＣＳＩの処理終了位置が当該第２のＰＵＣＣＨリソースの開始位置より遅くない場合、当該少なくとも１つのＣＳＩを第１の候補ＣＳＩ集合として記す。当該実施例７において、当該端末機器は、当該第１の候補ＣＳＩ集合におけるＣＳＩを当該目的ＣＳＩとして決定してもよいし、又は、当該実施例８において、当該端末機器は当該第１の候補ＣＳＩ集合で処理終了位置が最早の１つ又は複数のＣＳＩ（第２の候補ＣＳＩ集合と記す）を当該目的ＣＳＩとして決定してもよい。
【０１０９】
例を挙げると、図８に示すように、ＣＳＩ１の測定リソースの位置はタイムスロットｎ−ｘ３であり、タイムスロットｎ−ｘ３＋１からタイムスロットｎ−ｘ２までは当該ＣＳＩ１の処理時間を含む。選択的に、タイミングアドバンス（Ｔｉｍｉｎｇ  Ａｄｖａｎｃｅｄ、略称ＴＡ）をさらに含んでもよく、即ち当該ＣＳＩ１の処理終了位置はタイムスロットｎ−ｘ２である。
【０１１０】
ＣＳＩ２の測定リソースの位置はタイムスロットｎ−ｘ２であり、タイムスロットｎ−ｘ２＋１からタイムスロットｎ−１までは当該ＣＳＩ２の処理時間を含む。選択的に、ＴＡをさらに含んでもよく、即ち当該ＣＳＩ２の処理終了位置はタイムスロットｎ−１である。
【０１１１】
ＣＳＩ３の測定リソースの位置はタイムスロットｎ−ｘ２であり、タイムスロットｎ−ｘ２＋１からタイムスロットｎの符号１までは当該ＣＳＩ３の処理時間を含む。選択的に、ＴＡをさらに含んでもよく、即ち当該ＣＳＩ３の処理終了位置はタイムスロットｎの符号１であり、第２のＰＵＣＣＨリソースの開始位置はタイムスロットｎの符号０である。
【０１１２】
実施例７に記載の決定方法によれば、ＣＳＩ１及びＣＳＩ２の処理終了位置は第２のＰＵＣＣＨリソースの開始位置より早いことを決定してもよく、即ち第１の候補ＣＳＩ集合はＣＳＩ１及びＣＳＩ２を含む。さらに、当該端末機器は当該第１の候補ＣＳＩ集合を目的ＣＳＩとして決定してもよく、さらに、当該第２のＰＵＣＣＨリソースによって当該ＣＳＩ１及びＣＳＩ２を伝送することができる。
【０１１３】
実施例８に記載の決定方法によれば、当該端末機器は当該第１の候補ＣＳＩ集合で処理終了位置が最早のＣＳＩを目的ＣＳＩとして決定してもよく、即ち第２の候補ＣＳＩ集合はＣＳＩ１を含む。さらに、第２のＰＵＣＣＨリソースによってＣＳＩ１を伝送することができる。
【０１１４】
選択的に、実施例９において、前記端末機器が前記第２のＰＵＣＣＨリソースの開始位置及び前記各ＣＳＩの処理終了位置に基づき、前記目的ＣＳＩを決定することは、前記端末機器が前記第２のＰＵＣＣＨリソースの開始位置、前記各ＣＳＩの処理終了位置、及び前記各ＣＳＩの優先度に基づき、前記目的ＣＳＩを決定することを含む。
【０１１５】
選択的に、実施例９の一つの具体的な実施例（実施例１０と記す）において、前記端末機器が前記第２のＰＵＣＣＨリソースの開始位置、前記各ＣＳＩの処理終了位置、及び前記各ＣＳＩの優先度に基づき、前記目的ＣＳＩを決定することは、前記複数のＣＳＩで少なくとも１つのＣＳＩの処理終了位置が前記第２のＰＵＣＣＨリソースの開始位置より遅くない場合、前記端末機器は前記少なくとも１つのＣＳＩの優先度に基づき、前記目的ＣＳＩを決定することを含む。
【０１１６】
選択的に、実施例９の別の具体的な実施例（実施例１１と記す）において、前記端末機器が前記第２のＰＵＣＣＨリソースの開始位置、前記各ＣＳＩの処理終了位置、及び前記各ＣＳＩの優先度に基づき、前記目的ＣＳＩを決定することは、前記複数のＣＳＩで少なくとも１つのＣＳＩの処理終了位置が前記第２のＰＵＣＣＨリソースの開始位置より遅くない場合、前記端末機器は前記少なくとも１つのＣＳＩで処理終了位置が最早のＣＳＩの優先度に基づき、前記目的ＣＳＩを決定することを含む。
【０１１７】
即ち、当該端末機器は実施例１０に対応して、上記の第１の候補ＣＳＩ集合で優先度が最高の１つ又は複数のＣＳＩを目的ＣＳＩとして決定してもよいし、又は実施例１１に対応して、上記の当該第２の候補ＣＳＩ集合で優先度が最高の１つ又は複数のＣＳＩを目的ＣＳＩとして決定してもよい。
【０１１８】
例を挙げると、図９に示すように、ＣＳＩ１の測定リソースの位置はタイムスロットｎ−ｘ３であり、タイムスロットｎ−ｘ３＋１からタイムスロットｎ−ｘ２までは当該ＣＳＩ１の処理時間を含む。選択的に、タイミングアドバンス（Ｔｉｍｉｎｇ  Ａｄｖａｎｃｅｄ、略称ＴＡ）をさらに含んでもよく、即ち当該ＣＳＩ１の処理終了位置はタイムスロットｎ−ｘ２であり、優先度は１である。ＣＳＩ２の測定リソースの位置はタイムスロットｎ−ｘ２であり、タイムスロットｎ−ｘ２＋１からタイムスロットｎ−１までは当該ＣＳＩ２の処理時間を含む。選択的に、ＴＡをさらに含んでもよく、即ち当該ＣＳＩ２の処理終了位置はタイムスロットｎ−１であり、優先度は０である。第２のＰＵＣＣＨリソースの開始位置はタイムスロットｎの符号０である。
【０１１９】
実施例１０に記載の決定方法によれば、当該端末機器は、ＣＳＩ１及びＣＳＩ２の処理終了位置はいずれも第２のＰＵＣＣＨリソースの開始位置より早いことを決定してもよく、即ち第１の候補ＣＳＩ集合はＣＳＩ１及びＣＳＩ２を含む。
【０１２０】
選択的に、当該端末機器は、当該第１の候補ＣＳＩ集合で優先度が最高のＣＳＩを目的ＣＳＩとして決定してもよく、即ち当該ＣＳＩ２を目的ＣＳＩとして決定してもよく、さらに、当該第２のＰＵＣＣＨリソースによって当該ＣＳＩ２を伝送することができる。
【０１２１】
選択的に、当該端末機器は、当該第１の候補ＣＳＩ集合で優先度が特定の優先度より高いＣＳＩを目的ＣＳＩとして決定してもよい。例えば、当該特定の優先度が優先度２である場合、当該端末機器は、ＣＳＩ１及びＣＳＩ２を目的ＣＳＩとして決定してもよく、さらに、第２のＰＵＣＣＨリソースによって当該ＣＳＩ１及びＣＳＩ２を伝送することができる。
【０１２２】
実施例１１に記載の決定方法によれば、当該端末機器は、ＣＳＩ１及びＣＳＩ２の処理終了位置がいずれも第２のＰＵＣＣＨリソースの開始位置より早いことを決定してもよく、ただし、ＣＳＩ１の処理終了位置がＣＳＩ２の処理終了位置より早い場合、第２の候補ＣＳＩ集合はＣＳＩ１を含む。
【０１２３】
選択的に、当該第２の候補ＣＳＩ集合が複数のＣＳＩを含む場合、当該端末機器は、当該第２の候補ＣＳＩ集合で優先度が最高のＣＳＩを当該目的ＣＳＩとして決定してもよいし、又は当該第２の候補ＣＳＩ集合で優先度が特定の優先度より高いＣＳＩを当該目的ＣＳＩとして決定してもよい。
【０１２４】
上記の説明から分かるように、端末機器は、当該複数の第１のＰＵＣＣＨリソースで開始位置が当該第２のＰＵＣＣＨリソースより遅くない第１のＰＵＣＣＨリソース（第１の候補ＰＵＣＣＨリソース集合と記す）にベアラされているＣＳＩを目的ＣＳＩとして決定してもよいし（実施例１に対応する）、又は第１の候補ＰＵＣＣＨリソース集合で開始位置が最早又は最遅の第１のＰＵＣＣＨ（第２の候補ＰＵＣＣＨリソース集合と記す）にベアラされているＣＳＩを目的ＣＳＩとして決定してもよいし（実施例２に対応する）、又は、ＣＳＩの優先度と結び付けて目的ＣＳＩを決定してもよい（実施例３に対応する）。例えば、第１の候補ＰＵＣＣＨリソース集合及びＣＳＩの優先度に基づき、目的ＣＳＩを決定してもよいし（実施例４に対応する）、又は、第２の候補ＰＵＣＣＨリソース集合及びＣＳＩの優先度に基づき、目的ＣＳＩを決定してもよい（実施例５に対応する）。
【０１２５】
選択的に、当該端末機器は、第２のＰＵＣＣＨリソースの開始位置及びＣＳＩの処理終了位置に基づき、目的ＣＳＩを決定してもよい（実施例６に対応する）。例えば、端末機器は実施例７に対応して、当該処理終了位置が当該第２のＰＵＣＣＨリソースより遅くない開始位置のＣＳＩ（第１の候補ＣＳＩ集合と記す）を目的ＣＳＩとして決定してもよいし、又は、実施例８に対応して、当該第１の候補ＣＳＩ集合で開始位置が最早又は最遅のＣＳＩ（第２の候補ＣＳＩ集合と記す）を目的ＣＳＩとして決定してもよいし、又は、ＣＳＩの優先度と結び付けて目的ＣＳＩを決定してもよい（実施例９に対応する）。例えば、第１の候補ＣＳＩ集合及びＣＳＩの優先度に基づき、目的ＣＳＩを決定してもよいし（実施例１０に対応する）、又は、第２の候補ＣＳＩ集合及びＣＳＩの優先度に基づき、目的ＣＳＩを決定してもよい（実施例１１に対応する）。
【０１２６】
なお、図３〜図９は、開始位置の符号を単位として説明しているが、当然ながら、ＰＵＣＣＨリソースの開始位置は、その他の時間ユニット、例えば、タイムスロット、又はマイクロタイムスロットなどを単位としてもよく、本願の実施例はこれについて限定しない。
【０１２７】
上記の説明において、図２〜図９を参照して端末機器側から本願の実施例の情報伝送方法を詳細に説明した。以下、図１０を参照してネットワーク機器側から本願の別の実施例の情報伝送方法を詳細に説明する。なお、ネットワーク機器側の説明と端末機器側の説明は互いに対応するものであり、説明が類似する場合、上記の内容を参照できるため、ここで重複を避けるため、説明を省略する。
【０１２８】
図１０は本願の別の実施例の情報伝送方法３００を概略的に示すフローチャートである。当該方法３００は、図１に示す通信システムにおけるネットワーク機器によって実行されてもよい。図１０に示すように、当該方法３００は、Ｓ３１０と、３２０とを含む。
【０１２９】
Ｓ３１０において、ネットワーク機器は端末機器に第１の情報を送信し、前記第１の情報は複数の周期でチャネル状態情報（ＣＳＩ）をベアラするために用いる複数の第１の物理上り制御チャネル（ＰＵＣＣＨ）リソースの情報を含み、ただし、ＣＳＩをベアラするために用いる前記複数の第１のＰＵＣＣＨリソースで少なくとも２つの第１のＰＵＣＣＨリソースが時間領域において少なくとも部分的に重畳する。
【０１３０】
Ｓ３２０において、前記ネットワーク機器は前記端末機器に第２の情報を送信し、前記第２の情報は衝突ＣＳＩをベアラするために用いる第２のＰＵＣＣＨリソースの情報を含む。
【０１３１】
選択的に、いくつかの実施例において、前記第１の情報は、前記複数の周期でＣＳＩの測定のために用いる測定リソースの情報をさらに含む。
【０１３２】
選択的に、いくつかの実施例において、前記複数の周期のタイプは、周期、準周期、非周期のうちの少なくとも１つを含む。
【０１３３】
選択的に、いくつかの実施例において、前記第２のＰＵＣＣＨリソースの情報は、前記第２のＰＵＣＣＨリソースの時間領域における開始符号、持続時間、周波数領域における開始物理リソースブロック（ＰＲＢ）及びＰＲＢの持続数量のうちの少なくとも１つを含む。
【０１３４】
上記の説明において、図２〜図１０を参照して本願に係る方法の実施例を詳細に説明した。以下、図１１〜図１４を参照して本願に係る装置の実施例を詳細に説明する。なお、装置の実施例と方法の実施例は互いに対応するものであり、説明が類似する場合、方法の実施例を参照できる。
【０１３５】
図１１は、本願の実施例に係る情報を伝送する端末機器４００を概略的に示すブロック図である。図１１に示すように、当該端末機器４００は、決定モジュール４１０と、通信モジュール４２０とを含む。
決定モジュール４１０は、チャネル状態情報（ＣＳＩ）をベアラするために用いる複数の第１の物理上り制御チャネル（ＰＵＣＣＨ）リソースで少なくとも２つの第１のＰＵＣＣＨリソースが時間領域において少なくとも部分的に重畳する場合、衝突ＣＳＩを伝送するために用いる第２のＰＵＣＣＨリソースに基づき、ネットワーク機器に報告する目的ＣＳＩを決定するために用いられる。
通信モジュール４２０は、前記第２のＰＵＣＣＨリソースによって前記ネットワーク機器に前記目的ＣＳＩを報告するために用いられる。
【０１３６】
選択的に、いくつかの実施例において、前記決定モジュール４１０は、前記第２のＰＵＣＣＨリソースの開始位置に基づき、前記ネットワーク機器に報告する前記目的ＣＳＩを決定するためにも用いられる。
【０１３７】
選択的に、いくつかの実施例において、前記決定モジュール４１０は、前記複数の第１のＰＵＣＣＨリソースで少なくとも１つの第１のＰＵＣＣＨリソースの開始位置が前記第２のＰＵＣＣＨリソースの開始位置より遅くない場合、前記少なくとも１つのＰＵＣＣＨリソースにベアラされているＣＳＩを前記目的ＣＳＩとして決定するためにも用いられる。
【０１３８】
選択的に、いくつかの実施例において、前記決定モジュール４１０は、前記複数の第１のＰＵＣＣＨリソースで少なくとも１つの第１のＰＵＣＣＨリソースの開始位置が前記第２のＰＵＣＣＨリソースの開始位置より遅くない場合、前記少なくとも１つのＰＵＣＣＨリソースで開始位置が最早又は最遅の少なくとも１つのＰＵＣＣＨリソースにベアラされているＣＳＩを前記目的ＣＳＩとして決定するためにも用いられる。
【０１３９】
選択的に、いくつかの実施例において、前記決定モジュール４１０は、前記第２のＰＵＣＣＨリソースの開始位置、及び前記複数の第１のＰＵＣＣＨリソースにベアラされているＣＳＩの優先度に基づき、前記目的ＣＳＩを決定するためにも用いられる。
【０１４０】
選択的に、いくつかの実施例において、前記決定モジュール４１０は、前記複数の第１のＰＵＣＣＨリソースで少なくとも１つの第１のＰＵＣＣＨリソースの開始位置が前記第２のＰＵＣＣＨリソースの開始位置より遅くない場合、前記少なくとも１つの第１のＰＵＣＣＨリソースにベアラされているＣＳＩの優先度に基づき、前記目的ＣＳＩを決定するためにも用いられる。
【０１４１】
選択的に、いくつかの実施例において、前記決定モジュール４１０は、前記少なくとも１つの第１のＰＵＣＣＨリソースにベアラされているＣＳＩで優先度が最高の少なくとも１つのＣＳＩを前記目的ＣＳＩとして決定するためにも用いられる。
【０１４２】
選択的に、いくつかの実施例において、前記決定モジュール４１０は、前記複数の第１のＰＵＣＣＨリソースで少なくとも１つの第１のＰＵＣＣＨリソースの開始位置が前記第２のＰＵＣＣＨリソースの開始位置より遅くない場合、前記少なくとも１つの第１のＰＵＣＣＨリソースで開始位置が最早又は最遅の第１のＰＵＣＣＨリソースにベアラされているＣＳＩの優先度に基づき、前記目的ＣＳＩを決定するためにも用いられる。
【０１４３】
選択的に、いくつかの実施例において、前記決定モジュール４１０は、開始位置が最早の第１のＰＵＣＣＨリソースにベアラされているＣＳＩで優先度が最高のＣＳＩを前記目的ＣＳＩとして決定するためにも用いられる。
【０１４４】
選択的に、いくつかの実施例において、前記決定モジュール４１０は、前記第２のＰＵＣＣＨリソースの開始位置及び前記複数の第１のＰＵＣＣＨリソースにベアラされている複数のＣＳＩの測定位置に基づき、前記目的ＣＳＩを決定するためにも用いられ、ただし、前記複数のＰＵＣＣＨリソースと前記複数のＣＳＩは一対一で対応する。
【０１４５】
選択的に、いくつかの実施例において、前記決定モジュール４１０は、前記複数のＣＳＩにおける各ＣＳＩの測定位置及び前記各ＣＳＩの処理時間に基づき、前記各ＣＳＩの処理終了位置を決定し、前記第２のＰＵＣＣＨリソースの開始位置及び前記各ＣＳＩの処理終了位置に基づき、前記目的ＣＳＩを決定するためにも用いられる。
【０１４６】
選択的に、いくつかの実施例において、前記決定モジュール４１０は、前記複数のＣＳＩで少なくとも１つのＣＳＩの処理終了位置が前記第２のＰＵＣＣＨリソースの開始位置より遅くない場合、前記少なくとも１つのＣＳＩを前記目的ＣＳＩとして決定するためにも用いられる。
【０１４７】
選択的に、いくつかの実施例において、前記決定モジュール４１０は、前記複数のＣＳＩで少なくとも１つのＣＳＩの処理終了位置が前記第２のＰＵＣＣＨリソースの開始位置より遅くない場合、前記少なくとも１つのＣＳＩで処理終了位置が最早のＣＳＩを前記目的ＣＳＩとして決定するためにも用いられる。
【０１４８】
選択的に、いくつかの実施例において、前記決定モジュール４１０は、前記第２のＰＵＣＣＨリソースの開始位置、前記各ＣＳＩの処理終了位置、及び前記各ＣＳＩの優先度に基づき、前記目的ＣＳＩを決定するためにも用いられる。
【０１４９】
選択的に、いくつかの実施例において、前記決定モジュール４１０は、前記複数のＣＳＩで少なくとも１つのＣＳＩの処理終了位置が前記第２のＰＵＣＣＨリソースの開始位置より遅くない場合、前記少なくとも１つのＣＳＩの優先度に基づき、前記目的ＣＳＩを決定するためにも用いられる。
【０１５０】
選択的に、いくつかの実施例において、前記決定モジュール４１０は、前記少なくとも１つのＣＳＩで優先度が最高のＣＳＩを前記目的ＣＳＩとして決定するためにも用いられる。
【０１５１】
選択的に、いくつかの実施例において、前記決定モジュール４１０は、前記複数のＣＳＩで少なくとも１つのＣＳＩの処理終了位置が前記第２のＰＵＣＣＨリソースの開始位置より遅くない場合、前記少なくとも１つのＣＳＩで処理終了位置が最早のＣＳＩの優先度に基づき、前記目的ＣＳＩを決定するためにも用いられる。
【０１５２】
選択的に、いくつかの実施例において、前記決定モジュール４１０は、前記少なくとも１つのＣＳＩで、処理終了位置が最早のＣＳＩで優先度が最高のＣＳＩを前記目的ＣＳＩとして決定するためにも用いられる。
【０１５３】
選択的に、いくつかの実施例において、前記決定モジュール４１０は、前記各ＣＳＩの測定位置後の所定時間長の位置を前記各ＣＳＩの処理終了位置として決定するためにも用いられ、ただし、前記所定時間長は、前記各ＣＳＩの処理時間にタイミングアドバンス（ＴＡ）を加算したものである。
【０１５４】
選択的に、いくつかの実施例において、前記第２のＰＵＣＣＨリソースの開始位置は、前記第２のＰＵＣＣＨリソースの開始符号である。
【０１５５】
選択的に、いくつかの実施例において、前記通信モジュール４２０は、前記ネットワーク機器によって送信される第１の情報を受信するためにも用いられ、前記第１の情報は、複数の周期でＣＳＩをベアラするために用いる前記複数の第１のＰＵＣＣＨリソースの情報を含む。
【０１５６】
選択的に、いくつかの実施例において、前記第１の情報は、前記複数の周期でＣＳＩの測定のために用いる測定リソースの情報をさらに含む。
【０１５７】
選択的に、いくつかの実施例において、前記複数の周期のタイプは、周期、準周期、非周期のうちの少なくとも１つを含む。
【０１５８】
選択的に、いくつかの実施例において、前記通信モジュール４２０は、前記ネットワーク機器によって送信される第２の情報を受信するためにも用いられ、前記第２の情報は、衝突ＣＳＩをベアラするために用いる前記第２のＰＵＣＣＨリソースの情報を含む。
【０１５９】
選択的に、いくつかの実施例において、前記第２のＰＵＣＣＨリソースの情報は、前記第２のＰＵＣＣＨリソースの時間領域における開始符号、持続時間、周波数領域における開始物理リソースブロック（ＰＲＢ）及びＰＲＢの持続数量のうちの少なくとも１つを含む。
【０１６０】
選択的に、いくつかの実施例において、前記チャネル状態情報（ＣＳＩ）をベアラするために用いる複数の第１の物理上り制御チャネル（ＰＵＣＣＨ）リソースで少なくとも２つの第１のＰＵＣＣＨリソースが時間領域において少なくとも部分的に重畳することは、前記複数の第１のＰＵＣＣＨリソースで少なくとも２つの第１のＰＵＣＣＨが時間領域において少なくとも１つの符号が重畳することを含む。
【０１６１】
なお、本願の実施例に係る情報を伝送する端末機器４００は、本願の方法の実施例に係る端末機器に対応するものであってもよく、かつ、端末機器４００の各ユニットに係る上記の操作及びその他の操作及び／又は機能は、図２に示す方法２００で端末機器に係る対応するプロセスをそれぞれ実現するためのものである。簡素化の観点上、ここでその説明を省略する。
【０１６２】
図１２は、本願の実施例に係る情報を伝送する機器を概略的に示すブロック図である。図１２に示すネットワーク機器５００は、通信モジュール５１０を含む。
通信モジュール５１０は、端末機器に第１の情報を送信するために用いられ、前記第１の情報は、複数の周期でチャネル状態情報（ＣＳＩ）をベアラするために用いる複数の第１の物理上り制御チャネル（ＰＵＣＣＨ）リソースの情報を含み、ただし、ＣＳＩをベアラするために用いる前記複数の第１のＰＵＣＣＨリソースで少なくとも２つの第１のＰＵＣＣＨリソースが時間領域において少なくとも部分的に重畳し、通信モジュール５１０は、前記端末機器に第２の情報を送信するためにも用いられ、前記第２の情報は、衝突ＣＳＩをベアラするために用いる第２のＰＵＣＣＨリソースの情報を含む。
【０１６３】
選択的に、いくつかの実施例において、前記第１の情報は、前記複数の周期でＣＳＩの測定のために用いる測定リソースの情報をさらに含む。
【０１６４】
選択的に、いくつかの実施例において、前記複数の周期のタイプは、周期、準周期、非周期のうちの少なくとも１つを含む。
【０１６５】
選択的に、いくつかの実施例において、前記第２のＰＵＣＣＨリソースの情報は、前記第２のＰＵＣＣＨリソースの時間領域における開始符号、持続時間、周波数領域における開始物理リソースブロック（ＰＲＢ）及びＰＲＢの持続数量のうちの少なくとも１つを含む。
【０１６６】
具体的に言えば、当該ネットワーク機器５００は、上記の方法３００で説明されているネットワーク機器に対応するものであってもよく（例えば、前記ネットワーク機器に配置されているものであってもよいし前記ネットワーク機器そのものであってもよい）、かつ、当該ネットワーク機器５００の各モジュール又はユニットは、上記の方法３００でネットワーク機器によって実行される各操作又は処理のプロセスをそれぞれ実行するために用いられる。簡素化の観点上、ここで詳細な説明を省略する。
【０１６７】
さらに、図１３に示すように、本願の実施例は端末機器６００を提供する。前記端末機器６００は、図１１に示す端末機器４００であってもよく、図２に示す方法２００に対応する端末機器に係る内容を実行するために用いることができる。前記端末機器６００は、入力インタフェース６１０と、出力インタフェース６２０と、プロセッサ６３０と、メモリ６４０とを含み、前記入力インタフェース６１０、出力インタフェース６２０、プロセッサ６３０、メモリ６４０はバスシステムを介して接続されてもよい。前記メモリ６４０は、プログラム、コマンド又はコードを記憶するために用いられる。前記プロセッサ６３０は、前記メモリ６４０内のプログラム、コマンド又はコードを実行することで、入力インタフェース６１０が信号を受信するよう制御し、出力インタフェース６２０が信号を送信し上記の方法の実施例に係る操作を完了するよう制御するために用いられる。
【０１６８】
なお、本願の実施例において、前記プロセッサ６３０は、中央処理ユニット（Ｃｅｎｔｒａｌ  Ｐｒｏｃｅｓｓｉｎｇ  Ｕｎｉｔ、略称ＣＰＵ）であってもよいし、その他の汎用プロセッサ、デジタル信号プロセッサ（ＤＳＰ）、特定用途向け集積回路（ＡＳＩＣ）、フィールドプログラマブルゲートアレイ（ＦＰＧＡ）、その他のプログラマブル論理素子、ディスクリートゲート又はトランジスタ論理素子、ディスクリートハードウェアコンポーネントであってもよい。汎用プロセッサは、マイクロプロセッサであってもよいし、又は任意の通常のプロセッサであってもよい。
【０１６９】
前記メモリ６４０は、リードオンリーメモリ、ランダムアクセスメモリを含み、プロセッサ６３０にコマンド及びデータを提供するものであってもよい。メモリ６４０の一部には、不揮発性ランダムアクセスメモリをさらに含んでもよい。例えば、メモリ６４０に機器の型番情報が記憶されていてもよい。
【０１７０】
上記の方法に係る各内容は、実現させる過程において、プロセッサ６３０内のハードウェアの集積論理回路又はソフトウェア形式のコマンドによって完了されてもよい。本願の実施例で開示されている方法の内容によれば、ハードウェアプロセッサが実行して完了されてもよいし、又はプロセッサ内のハードウェアとソフトウェアモジュールが組み合わせて実行して完了されてもよい。ソフトウェアモジュールは、ランダムアクセスメモリ、フラッシュメモリ、リードオンリーメモリ、プログラマブルリードオンリーメモリ、又は電気的消去可能なプログラマブルメモリ、レジスタなど、当分野で成熟した記憶媒体に配置されていてもよい。前記記憶媒体はメモリ６４０に配置され、プロセッサ６３０がメモリ６４０内の情報を読み取り、そのハードウェアと結び付けて上記の方法に係る内容を完了する。ここで、重複を避けるために、詳細な説明を省略する。
【０１７１】
一つの具体的な実施形態において、図１１に示す端末機器４００に含まれた決定モジュール４１０は、図１３のプロセッサ６３０によって実現されてもよい。図１１に示す端末機器４００に含まれた通信モジュール４２０は、図１３に記載の入力インタフェース６１０と、出力インタフェース６２０とによって実現されてもよい。
【０１７２】
さらに、図１４に示すように、本願の実施例はネットワーク機器７００を提供する。前記ネットワーク機器７００は、図１２に示すネットワーク機器５００であってもよく、図１０に示す方法３００に対応するネットワーク機器に係る内容を実行するために用いることができる。前記ネットワーク機器７００は、入力インタフェース７１０と、出力インタフェース７２０と、プロセッサ７３０と、メモリ７４０とを含み、前記入力インタフェース７１０、出力インタフェース７２０、プロセッサ７３０、メモリ７４０はバスシステムを介して接続されてもよい。前記メモリ７４０は、プログラム、コマンド又はコードを記憶するために用いられる。前記プロセッサ７３０は、前記メモリ７４０内のプログラム、コマンド又はコードを実行することで、入力インタフェース７１０が信号を受信するよう制御し、出力インタフェース７２０が信号を送信し上記の方法の実施例に係る操作を完了するよう制御するために用いられる。
【０１７３】
なお、本願の実施例において、前記プロセッサ７３０は、中央処理ユニット（Ｃｅｎｔｒａｌ  Ｐｒｏｃｅｓｓｉｎｇ  Ｕｎｉｔ、略称ＣＰＵ）であってもよいし、その他の汎用プロセッサ、デジタル信号プロセッサ（ＤＳＰ）、特定用途向け集積回路（ＡＳＩＣ）、フィールドプログラマブルゲートアレイ（ＦＰＧＡ）、その他のプログラマブル論理素子、ディスクリートゲート又はトランジスタ論理素子、ディスクリートハードウェアコンポーネントであってもよい。汎用プロセッサは、マイクロプロセッサであってもよいし、任意の通常のプロセッサであってもよい。
【０１７４】
前記メモリ７４０は、リードオンリーメモリ、ランダムアクセスメモリを含み、プロセッサ７３０にコマンド及びデータを提供するものであってもよい。メモリ７４０の一部には、不揮発性ランダムアクセスメモリをさらに含んでもよい。例えば、メモリ７４０に機器の型番情報が記憶されていてもよい。
【０１７５】
上記の方法に係る各内容は、実現させる過程において、プロセッサ７３０内のハードウェアの集積論理回路又はソフトウェア形式のコマンドによって完了されてもよい。本願の実施例で開示されている方法の内容によれば、ハードウェアプロセッサが実行して完了されてもよいし、又はプロセッサ内のハードウェアとソフトウェアモジュールが組み合わせて実行して完了されてもよい。ソフトウェアモジュールは、ランダムアクセスメモリ、フラッシュメモリ、リードオンリーメモリ、プログラマブルリードオンリーメモリ、又は電気的消去可能なプログラマブルメモリ、レジスタなど、当分野で成熟した記憶媒体に配置されていてもよい。前記記憶媒体はメモリ７４０に配置され、プロセッサ７３０がメモリ７４０内の情報を読み取り、そのハードウェアと結び付けて上記の方法に係る内容を完了する。ここで、重複を避けるために、詳細な説明を省略する。
【０１７６】
一つの具体的な実施形態において、図１２に示すネットワーク機器５００に含まれた通信モジュール５１０は、図１４に記載の入力インタフェース７１０と、出力インタフェース７２０とによって実現されてもよい。
【０１７７】
さらに、本願の実施例は、コンピュータ可読記憶媒体を提供する。当該コンピュータ可読記憶媒体にはコマンドを含む１つ又は複数のプログラムが記憶される。当該コマンドが複数のアプリケーションプログラムを含むポータブル電子機器によって実行される時、当該ポータブル電子機器は、図２〜図１０に示す実施例の方法を実行できる。
【０１７８】
さらに、本願の実施例は、コマンドを含むコンピュータプログラムを提供する。当該コンピュータプログラムがコンピュータによって実行される時、コンピュータは、図２〜図１０に示す実施例の方法で対応するプロセスを実行できる。
【０１７９】
当業者は、本明細書で開示されている各実施例に記載の各例示的なユニット、アルゴリズム及びステップが、電子的ハードウェア、又はコンピュータソフトウェアと電子的ハードウェアの組み合わせによって実現できることを意識できる。これらの機能はハードウェアとして実行されるか、ソフトウェアとして実行されるかは、技術的手段の特定の用途及び設計上の制限条件に依存する。当業者は各特定の用途によって異なる方法を用いて説明した機能を実現できるが、かかる実現は本願の範囲を超えるものとは見なされない。
【０１８０】
当業者にとって自明なように、説明の便宜上及び簡素化の観点から、上記のとおりに説明されているシステム、装置及びユニットの動作過程の詳細は、上記の方法の実施例に係る対応するプロセスを参照できるため、ここでその説明を省略する。
【０１８１】
なお、本願に係るいくつかの実施例で開示されているシステム、装置及び方法は、その他の形態によっても実現できる。例えば、上記説明した装置の実施例は例示的なものに過ぎない。例えば、上記の各ユニットの設定は、論理機能上の設定に過ぎず、実際に実現するときその他の方式で設定されてもよい。例えば、複数のユニット又はコンポーネント同士を組み合わせるか、別のシステムに集積させてもよいし、又はその一部の特徴を省略させたり実行しなかったりしてもよい。また、表示または検討されている要素同士間の結合、直接的な結合又は通信的接続は、いくつかのインタフェースによって実現されてもよく、装置又はユニット同士間の間接的な結合又は通信的接続は、電気的形態、機械的形態又はその他の形態であってもよい。
【０１８２】
独立する部品として説明されている前記ユニットは、物理的に分離しているものであってもよいし分離していないものであってもよい。ユニットとして表示される部材は、物理的なユニットであってもよいしそうでなくてもよい。即ち同一の場所に配置されていてもよいし、複数のネットワークユニットに分散されていてもよい。実際な必要に応じて、一部又は全てのユニットを選択して実施例の手段の目的を達成してもよい。
【０１８３】
また、本願の各実施例に係る各機能ユニットは１つの処理ユニットに集積されていてもよいし、各ユニットは物理的に単独で存在していてもよく、又は２つ又は２つ以上のユニットが１つのユニットに集積されていてもよい。
【０１８４】
前記機能は、ソフトウェアからなる機能ユニットの形態で実現され、独立する製品として販売又は使用される場合、コンピュータ可読記憶媒体に記憶されていてもよい。これにより、本願に係る技術的手段の趣旨、あるいは従来技術に対して貢献する部分又は前記技術的手段の一部は、ソフトウェア製品の形態で表現されてもよく、かかるコンピュータソフトウェア製品は、コンピュータ機器（パーソナルコンピュータ、サーバ、又はネットワーク機器などであってもよい）が本願の各実施例に記載の方法の一部又はその全てのステップを実行するためのいくつかのコマンドを含むように、記憶媒体に記憶されている。かかる記憶媒体は、ＵＳＢフラッシュドライブ、ポータブルハードディスク、リードオンリーメモリ（Ｒｅａｄ−Ｏｎｌｙ  Ｍｅｍｏｒｙ、略称ＲＯＭ）、ランダムアクセスメモリ（Ｒａｎｄｏｍ  Ａｃｃｅｓｓ  Ｍｅｍｏｒｙ、略称ＲＡＭ）、磁気ディスク又はコンパクトディスクなど、プログラムコードを記憶できる様々な媒体を含む。
【０１８５】
本明細書に記載の内容は、本願の具体的な実施形態に過ぎず、本願の保護範囲はこれらに限定されなるものではない。当業者が本願で開示されている技術的範囲で容易に想到し得る変更又は置換などは、いずれも本願の保護範囲に含まれる。したがって、本願の保護範囲は特許請求の範囲に記載の内容に準拠する。
【図１】
2021517748.tif 000003
【図２】
2021517748.tif 000004
【図３】
2021517748.tif 000005
【図４】
2021517748.tif 000006
【図５】
2021517748.tif 000007
【図６】
2021517748.tif 000008
【図７】
2021517748.tif 000009
【図８】
2021517748.tif 000010
【図９】
2021517748.tif 000011
【図１０】
2021517748.tif 000012
【図１１】
2021517748.tif 000013
【図１２】
2021517748.tif 000014
【図１３】
2021517748.tif 000015
【図１４】
2021517748.tif 000016
【国際調査報告】
2021517748.tif 000017
2021517748.tif 000018
2021517748.tif 000019
2021517748.tif 000020